(57)【要約】【課題】照明機器の外観を損ねず、照明機器の照明性能を確保し、かつ、信頼性の高い無線通信を実行する照明装置を実現する。【解決手段】照明装置１００は、基板１Ｂに形成された第１アンテナパターン１１ａと、円筒管１Ｔの内壁を沿うように配置された第２アンテナパターン１１ｂとによりヘリカル状アンテナを構成する。無線通信用モジュール２は、ヘリカル状アンテナに接続されており、ヘリカル状アンテナを用いて、無線通信を行う。このように、照明装置１００では、円筒管１Ｔ内部にヘリカル状アンテナが形成されているため、外観を損ねることがない。【選択図】図２
2015115287.tif 000002
【特許請求の範囲】
【請求項１】
無線通信用アンテナを含む照明用モジュールであって、
発光素子と、
前記発光素子を設置するための基板と、
前記基板において、互いに離間されて形成されているＮ個（Ｎ：自然数、Ｎ≧２）の導体パターンを含む第１アンテナパターンと、
前記照明装置内の前記基板以外の場所に設置されるＮ−１個の導体パターンを含む第２アンテナパターンであって、前記Ｎ−１個の導体パターンのそれぞれの導体パターンは、前記第１アンテナパターンに含まれるＮ個の導体パターンのうちの２つの導体パターンを電気的に接続することで第１ヘリカル状アンテナを構成する、前記第２アンテナパターンと、
無線通信用モジュールを接続するための照明側接続部と、
を備える照明用モジュール。
【請求項２】
前記基板を収納する円筒管をさらに備え、
前記第２アンテナパターンは、折り曲げ可能なフィルム上に形成されており、
前記第２アンテナパターンが形成された前記フィルムは、前記円筒管の内壁に沿うように配置されている、
請求項１に記載の照明用モジュール。
【請求項３】
前記第１アンテナパターンのＮ個の導体パターンは、それぞれ、平面視で、少なくとも一部が、等間隔な平行線上に形成されている、
請求項１又は２に記載の照明用モジュール。
【請求項４】
前記第２アンテナパターンのＮ−１個の導体パターンは、それぞれ、同じ形状を有しており、前記第２アンテナパターンと電気的に接続された状態において、等間隔、かつ、平行に配置される、
請求項１から３のいずれかに記載の照明用モジュール。
【請求項５】
前記第１アンテナパターンの第ｋ番目（ｋ：自然数、ｋ≦Ｎ−１）の導体パターンをＰｔｎ１（ｋ）とし、
前記第２アンテナパターンの第ｋ番目の導体パターンをＰｔｎ２（ｋ）とすると、
前記第２アンテナパターンの第ｋ番目（ｋ：自然数）の導体パターンＰｔｎ２（ｋ）は、前記第１アンテナパターンの第ｋ番目の導体パターンＰｔｎ１（ｋ）と、前記第１アンテナパターンの第ｋ＋１番目の導体パターンＰｔｎ１（ｋ＋１）とを電気的に接続する位置に配置される、
請求項１から４のいずれかに記載の照明用モジュール。
【請求項６】
前記第１アンテナパターンと前記第２アンテナとにより構成される前記第１ヘリカル状アンテナを、軸モードで動作させるための反射板をさらに備える、
請求項１から５のいずれかに記載の照明用モジュール。
【請求項７】
前記反射板は、前記基板の端部に配置されている、
請求項６に記載の照明用モジュール。
【請求項８】
前記第２アンテナパターンは、格子状の導体パターンにより形成されている、
請求項１から７のいずれかに記載の照明用モジュール。
【請求項９】
前記発光素子から照射される光の波長をλ＿Ｌとし、前記第１ヘリカル状アンテナで送受信される電磁波の波長をλ＿Ｒとすると、
前記第２アンテナパターンは、
ｗ＜λ＿Ｒ
ｗ＞λ＿Ｌ
の両方を満たす格子幅ｗの格子状の導体パターンにより形成されている、
請求項８に記載の照明用モジュール。
【請求項１０】
前記基板において、互いに離間されて形成されているＮ個（Ｎ：自然数、Ｎ≧２）の導体パターンを含む第３アンテナパターンと、
前記照明装置内の前記基板以外の場所に設置されるＮ−１個の導体パターンを含む第４アンテナパターンであって、前記Ｎ−１個の導体パターンのそれぞれの導体パターンは、前記第３アンテナパターンに含まれるＮ個の導体パターンのうちの２つの導体パターンを電気的に接続することで第２ヘリカル状アンテナを構成する、前記第４アンテナパターンと、
をさらに備え、
前記第１アンテナパターンと前記第２アンテナパターンとにより構成される前記第１ヘリカル状アンテナは、前記基板の第１主面側に形成されており、
前記第３アンテナパターンと前記第４アンテナパターンとにより構成される前記第２ヘリカル状アンテナは、前記基板の第２主面側に形成されている、
請求項１から９のいずれかに記載の照明用モジュール。
【請求項１１】
前記基板は、細長い形状であり、
前記第１ヘリカル状アンテナは、前記基板の長手方向の一方の端部付近に設置されており、
前記第２ヘリカル状アンテナは、前記基板の長手方向の他方の端部付近に設置されており、
前記第１ヘリカル状アンテナを軸モードで動作させるための第１反射板は、前記基板の長手方向の一方の端部に設置されており、
前記第２ヘリカル状アンテナを軸モードで動作させるための第２反射板は、前記基板の長手方向の他方の端部に設置されている、
請求項１０に記載の照明用モジュール。
【請求項１２】
前記第１ヘリカル状アンテナのらせん軸方向への投影視において、前記第１反射板と前記第２反射板とは、互いに重なり合う部分が存在しないように配置されている、
請求項１１に記載の照明用モジュール。
【請求項１３】
請求項１から１２のいずれかに記載の照明用モジュールと脱着可能な無線通信モジュールであって、
前記照明用モジュールの前記照明側接続部と接続可能な無線通信側接続部と、
前記無線通信側接続部を前記照明用モジュールの前記照明側接続部に接続することで、前記照明用モジュールの前記第１ヘリカル状アンテナまたは前記第２ヘリカル状アンテナと電気的に接続され、無線通信を行う無線通信部と、
を備える無線通信用モジュール。
【請求項１４】
請求項１から１２のいずれかに記載の照明用モジュールと、
請求項１３に記載の無線通信用モジュールと、
を備える照明装置。
【請求項１５】
マスター装置と、
請求項１から１２のいずれかに記載の照明用モジュールと、
請求項１３に記載の無線通信用モジュールと、
無線通信ネットワークを介して前記照明用モジュールに装着された前記無線通信用モジュールと通信するとともに、有線ネットワークを介して、前記マスター装置と通信するスレーブ装置と、
を備える照明制御システム。
【発明の詳細な説明】
【技術分野】
【０００１】
本発明は、照明用モジュール、無線通信用モジュール、照明装置、および、照明制御システムに関する。
【背景技術】
【０００２】
ＥＭＳ（エネルギー・マネージメント・システム）は、電力を抑制し省エネの環境を実現することができるので、近年、ビル、商業施設、住宅など様々な建造物にＥＭＳが導入されることが多くなってきている。ＥＭＳでは、管理対象の機器を制御する必要があるので、管理対象の機器の情報の取得や管理対象の機器への通知を行うことが不可欠である。そのため、ＥＭＳでは、管理対象の機器に通信機能を搭載させる必要がある。
【０００３】
ＥＭＳを導入するに際し、特に、（管理対象となる）照明機器に、より安価で、より信頼性の高い通信を行うことができる手段を搭載したいというニーズが高まっている。
【０００４】
従来、照明機器を専用線等に接続し、有線通信により、当該照明機器に制御情報を送信することで、当該照明機器を制御するという手法が採用されていた。しかし、この手法では、照明機器を１台１台制御できるようにするために、膨大な配線工事費用がかかるという問題がある。
【０００５】
この問題を解決するために、例えば、特許文献１に記載されている技術を用いて、照明機器に配線工事不要の無線通信用モジュールおよび無線通信用アンテナを搭載させ、当該照明機器に対して、無線通信により、制御情報等を送信するというシステムを採用することが考えられる。
【先行技術文献】
【特許文献】
【０００６】
【特許文献１】特開２００８−１５３８３１号公報
【発明の概要】
【発明が解決しようとする課題】
【０００７】
しかしながら、上記システムでは、無線通信機能を実現するために、照明機器の外部に、無線通信用アンテナを設置する必要がある。このため、上記システムでは、無線通信用アンテナを設置するためのスペースを、照明機器を設置するスペース以外に別途設ける必要があり、照明機器の設置スペースに制限がある場合、上記システムのように、無線通信用アンテナを設置するためのスペースを確保することが困難である場合がある。また、上記システムでは、照明機器外に大きな無線通信用アンテナが設置されるため、外観も損ねる。
【０００８】
一般に、照明機器の設置スペースは制限を受けることが多いので、照明機器の照明性能を確保しつつ、かつ、照明機器の外観を損ねることなく、照明機器に、信頼性の高い無線通信を実現する無線通信用モジュールや無線通信用アンテナを取り付けることは困難である。
【０００９】
そこで、本発明は、上記問題点に鑑み、照明機器の外観を損ねず、照明機器の照明性能を確保し、かつ、信頼性の高い無線通信を実行する照明用モジュール、無線通信用モジュール、照明装置、および、照明制御システムを実現することを目的とする。
【課題を解決するための手段】
【００１０】
上記課題を解決するために、第１の発明は、無線通信用アンテナを含む照明用モジュールであって、発光素子と、発光素子を設置するための基板と、第１アンテナパターンと、第２アンテナパターンと、の照明側接続部と、を備える。
【００１１】
第１アンテナパターンは、基板において、互いに離間されて形成されているＮ個（Ｎ：自然数、Ｎ≧２）の導体パターンを含む。
【００１２】
第２アンテナパターンは、照明装置内の基板以外の場所に設置されるＮ−１個の導体パターンを含み、Ｎ−１個の導体パターンのそれぞれの導体パターンは、第１アンテナパターンに含まれるＮ個の導体パターンのうちの２つの導体パターンを電気的に接続することで第１ヘリカル状アンテナを構成する。
【００１３】
この照明用モジュールでは、発光素子を設置する基板に形成された第１アンテナパターンと、当該基板以外の場所に設置される第２アンテナパターンとにより、ヘリカル状アンテナが構成される。したがって、この照明用モジュールでは、従来技術のように無線通信用のアンテナを別途外付け等する必要がなく、照明機器の外観を損ねることがない。さらに、この照明用モジュールでは、ヘリカル状アンテナが上記のように構成されるので、ヘリカル状アンテナの巻き数やピッチを容易に調整することができる。このため、この照明用モジュールでは、照明機器の外観を損ねることなく、所望のアンテナ特性を容易に得ることができる。
【００１４】
なお、「互いに離間されて」とは、互い電気的に接続されていない状態（電気的接点を有しない状態）であることを意味するである。
【００１５】
また、「ヘリカル状アンテナ」とは、ヘリカルアンテナだけでなく、らせん軸の軸方向を進むに従い、所定のパターンを繰り返して形成される形状のアンテナ（アンテナエレメント）を含む概念である。つまり、「ヘリカル状アンテナ」とは、ヘリカルアンテナと類似する形状のアンテナを含む概念である。また、「所定のパターン」は、同様のパターンであればよく、完全に同一の一定パターンでなくてもよい。
【００１６】
第２の発明は、第１の発明であって、基板を収納する円筒管をさらに備える。
【００１７】
第２アンテナパターンは、折り曲げ可能なフィルム上に形成されている。
【００１８】
第２アンテナパターンが形成されたフィルムは、円筒管の内壁に沿うように配置されている。
【００１９】
これにより、この照明用モジュールでは、円筒管内部において、ヘリカル状アンテナを構成することができ、照明機器の外観を損ねることがない。
【００２０】
なお、「折り曲げ可能なフィルム」とは、円筒管の内壁に沿って湾曲させることができるフィルムを含む概念である。
【００２１】
第３の発明は、第１または第２の発明であって、第１アンテナパターンのＮ個の導体パターンは、それぞれ、平面視で、少なくとも一部が、等間隔な平行線上に形成されている。
【００２２】
これにより、この照明用モジュールでは、らせんピッチが一定のヘリカル状アンテナを構成することができる。
【００２３】
第４の発明は、第１から第３のいずれかの発明であって、第２アンテナパターンのＮ−１個の導体パターンは、それぞれ、同じ形状を有しており、第２アンテナパターンと電気的に接続された状態において、等間隔、かつ、平行に配置される。
【００２４】
これにより、この照明用モジュールでは、らせんピッチが一定のヘリカル状アンテナを構成することができる。
【００２５】
第５の発明は、第１から第４のいずれかの発明であって、第１アンテナパターンの第ｋ番目（ｋ：自然数、ｋ≦Ｎ−１）の導体パターンをＰｔｎ１（ｋ）とし、第２アンテナパターンの第ｋ番目の導体パターンをＰｔｎ２（ｋ）とすると、第２アンテナパターンの第ｋ番目（ｋ：自然数）の導体パターンＰｔｎ２（ｋ）は、第１アンテナパターンの第ｋ番目の導体パターンＰｔｎ１（ｋ）と、第１アンテナパターンの第ｋ＋１番目の導体パターンＰｔｎ１（ｋ＋１）とを電気的に接続する位置に配置される。
【００２６】
これにより、この照明用モジュールでは、らせん軸に対して、一定パターンで進むヘリカル状アンテナを構成しやすくなる。
【００２７】
第６の発明は、第１から第５のいずれかの発明であって、第１アンテナパターンと第２アンテナとにより構成される第１ヘリカル状アンテナを、軸モードで動作させるための反射板をさらに備える。
【００２８】
これにより、この照明用モジュールでは、第１ヘリカル状アンテナを、軸モードで動作させることができる。
【００２９】
なお、「軸モードで動作させるための反射板」とは、例えば、第１ヘリカル状アンテナのらせん軸を法線とする平面上に形成されている反射板を含む概念である。
【００３０】
第７の発明は、第６の発明であって、反射板は、基板の端部に配置されている。
【００３１】
これにより、この照明用モジュールでは、反射板が、発光素子からの照明を遮断しないため、良好な照明性能を確保することができる。
【００３２】
第８の発明は、第１から第７のいずれかの発明であって、第２アンテナパターンは、格子状の導体パターンにより形成されている。
【００３３】
これにより、この照明用モジュールでは、第２アンテナパターンにより、発光素子からの光の透過率の低下を抑制することができる。
【００３４】
第９の発明は、第８の発明であって、発光素子から照射される光の波長をλ＿Ｌとし、第１ヘリカル状アンテナで送受信される電磁波の波長をλ＿Ｒとすると、
第２アンテナパターンは、
ｗ＜λ＿Ｒ
ｗ＞λ＿Ｌ
の両方を満たす格子幅ｗの格子状の導体パターンにより形成されている。
【００３５】
これにより、この照明用モジュールでは、発光素子からの光は、第２アンテナパターンの格子状パターンを回折することができるので、発光素子からの光の透過率の低下を適切に抑制することができる。したがって、この照明用モジュールでは、照明性能と、第１ヘリカル状アンテナのアンテナ性能とをともに良好にすることができる。
【００３６】
第１０の発明は、第１から第９のいずれかの発明であって、第３アンテナパターンと、第４アンテナパターンと、さらに備える。
【００３７】
第３アンテナパターンは、基板において、互いに離間されて形成されているＮ個（Ｎ：自然数、Ｎ≧２）の導体パターンを含む。
【００３８】
第４アンテナパターンは、照明装置内の基板以外の場所に設置されるＮ−１個の導体パターンを含む第４アンテナパターンであって、Ｎ−１個の導体パターンのそれぞれの導体パターンは、第３アンテナパターンに含まれるＮ個の導体パターンのうちの２つの導体パターンを電気的に接続することで第２ヘリカル状アンテナを構成する。
【００３９】
第１アンテナパターンと第２アンテナパターンとにより構成される第１ヘリカル状アンテナは、基板の第１主面側に形成されている。
【００４０】
第３アンテナパターンと第４アンテナパターンとにより構成される第２ヘリカル状アンテナは、基板の第２主面側に形成されている。
【００４１】
この照明用モジュールでは、２つのヘリカル状アンテナを構成することができるので、当該２つのヘリカル状アンテナを、例えば、空間ダイバーシティ・アンテナや、周波数ダイバーシティ・アンテナとして機能させることができる。
【００４２】
第１１の発明は、第１０の発明であって、基板は、細長い形状である。
【００４３】
第１ヘリカル状アンテナは、基板の長手方向の一方の端部付近に設置されている。
【００４４】
第２ヘリカル状アンテナは、基板の長手方向の他方の端部付近に設置されている。
【００４５】
第１ヘリカル状アンテナを軸モードで動作させるための第１反射板は、基板の長手方向の一方の端部に設置されている。
【００４６】
第２ヘリカル状アンテナを軸モードで動作させるための第２反射板は、基板の長手方向の他方の端部に設置されている。
【００４７】
これにより、この照明用モジュールでは、第１ヘリカル状アンテナを、らせん軸方向に指向性の高いアンテナとして、機能させることができるとともに、第２ヘリカル状アンテナを、らせん軸方向に指向性の高いアンテナとして、機能させることができる。そして、この照明用モジュールでは、第１反射板と第２反射板とが基板の長手方向の両端部に配置されているので、第１ヘリカル状アンテナと第２ヘリカル状アンテナのらせん軸が一致する場合、当該らせん軸方向の双方向に電波（無線信号）を効率良く送受信することができる。
【００４８】
第１２の発明は、第１１の発明であって、第１ヘリカル状アンテナのらせん軸方向への投影視において、第１反射板と第２反射板とは、互いに重なり合う部分が存在しないように配置されている。
【００４９】
これにより、この照明用モジュールでは、第１ヘリカル状アンテナで送受信される電波（無線信号）、および、第２ヘリカル状アンテナで送受信される電波（無線信号）が、第１反射板あるいは第２反射板で遮断されにくくなる。したがって、この照明用モジュールでは、効率のよい無線通信を行うことができる。
【００５０】
第１３の発明は、第１から第１２のいずれかの発明である照明用モジュールと脱着可能な無線通信モジュールであって、無線通信側接続部と、無線通信部と、を備える。
【００５１】
無線通信側接続部は、照明用モジュールの照明側接続部と接続可能である。
【００５２】
無線通信部は、無線通信側接続部を照明用モジュールの照明側接続部に接続することで、照明用モジュールの第１ヘリカル状アンテナまたは第２ヘリカル状アンテナと電気的に接続され、無線通信を行う。
【００５３】
これにより、この無線通信モジュールでは、照明用モジュールに接続して用いることで、無線通信機能付き照明モジュールを容易に実現することができる。
【００５４】
第１４の発明は、第１から第１２のいずれかの発明である照明用モジュールと、第１３の発明である無線通信用モジュールと、を備える照明装置である。
【００５５】
これにより、第１から第１２のいずれかの発明である照明用モジュールと、第１３の発明である無線通信用モジュールと、を備える照明装置を実現することができる。
【００５６】
第１５の発明は、マスター装置と、第１から第１２のいずれかの発明である照明用モジュールと、第１３の発明である無線通信用モジュールと、スレーブ装置と、を備える照明制御システムである。
【００５７】
スレーブ装置は、無線通信ネットワークを介して照明用モジュールに装着された無線通信用モジュールと通信するとともに、有線ネットワークを介して、マスター装置と通信する。
【００５８】
これにより、第１から第１２のいずれかの発明である照明用モジュールと、第１３の発明である無線通信用モジュールと、を用いた照明制御システムを実現することができる。
【発明の効果】
【００５９】
本発明によれば、照明機器の外観を損ねず、照明機器の照明性能を確保し、かつ、信頼性の高い無線通信を実行する照明用モジュール、無線通信用モジュール、照明装置、および、照明制御システムを実現すること
ができる。
【図面の簡単な説明】
【００６０】
【図１】第１実施形態に係る照明装置１００の概略構成図。
【図２】第１実施形態に係る照明装置１００の平面図と側面図。
【図３】第１実施形態に係る照明装置１００の一部（端部）における平面図、側面図およびＡ−Ａ線による断面図。
【図４】第１実施形態に係る照明装置１００の一部（端部）の斜視図。
【図５】第２アンテナパターン１１ｂ（１１ｂ１〜１１ｂ５）と、第１アンテナパターン１１ａ（１１ａ１〜１１ａ６）との接続について説明するための図。
【図６】第１実施形態に係る照明装置１００の一部（端部）における側面図。
【図７】第２実施形態に係る照明装置２００の概略構成図。
【図８】第２実施形態に係る照明装置２００の平面図と側面図。
【図９】第２実施形態に係る照明装置２００の一部（金口部１４ｂ側の端部）における平面図および側面図。
【図１０】第２実施形態に係る照明装置２００の一部（両端部）の斜視図。
【図１１】第３実施形態に係る照明装置３００の概略構成図。
【図１２】第３実施形態に係る照明装置３００の構成を説明するための図。
【図１３】第３実施形態に係る照明装置３００の斜視図。
【図１４】第３実施形態に係る照明装置３００（反射板１３Ｂ付き照明装置）の斜視図。
【図１５】第４実施形態に係る照明制御システム１０００の概略構成図。
【図１６】照明制御システム１０００の第１スレーブ装置Ｓ１と、照明装置２００＿Ａ１〜２００＿Ａ３、２００＿Ｂ１〜２００＿Ｂ３、２００＿Ｃ１〜２００＿Ｃ３を模式的に示した図。
【図１７】照明制御システム１０００の第１スレーブ装置Ｓ１と、照明装置２００＿Ａ１〜２００＿Ａ３、２００＿Ｂ１〜２００＿Ｂ３、２００＿Ｃ１〜２００＿Ｃ３を模式的に示した図。
【発明を実施するための形態】
【００６１】
［第１実施形態］
第１実施形態について、図面を参照しながら、以下、説明する。
【００６２】
図１は、第１実施形態に係る照明装置１００の概略構成図である。
【００６３】
図２は、第１実施形態に係る照明装置１００の平面図と側面図である。なお、図２に示すように、Ｘ軸、Ｙ軸を設定する。
【００６４】
図３は、第１実施形態に係る照明装置１００の一部（端部）における平面図、側面図および断面図（Ａ−Ａ線による断面図）である。なお、図２に示すように、Ｘ軸、Ｙ軸を設定する。
【００６５】
図４は、第１実施形態に係る照明装置１００の一部（端部）の斜視図である。
【００６６】
照明装置１００は、図１に示すように、照明用モジュール１と、無線通信用モジュール２と、電源部３とを備える。なお、電源部３は、照明用モジュール１に含まれるものであってもよい。
【００６７】
照明用モジュール１は、アンテナ部１１と、照明部１２と、を備える。
【００６８】
なお、以下では、照明装置１００が、図２に示すように、蛍光管タイプの形状・構成を有するものであるとして、説明する。
【００６９】
照明装置１００は、図２に示すように、円筒状の管（円筒管）１Ｔと、管１Ｔの両端に設置されている金口部１４ａ、１４ｂと、金口部１４ａに設けられた電極１５ａ、１５ｂと、金口部１４ｂに設けられた電極１６ａ、１６ｂと、を有する。また、照明装置１００は、管１Ｔ内に基板１Ｂを有している。基板１Ｂには、発光素子Ｌ１〜Ｌｎを含む照明部１２が設置されており、また、アンテナ部１１の一部を構成する導体パターンが形成されている。また、照明装置１００は、図２に示すように、反射板１３を有している。以下、照明装置１００の詳細な構成について、説明する。
【００７０】
アンテナ部１１は、図２〜図４に示すように、円筒管１Ｔ内の基板１Ｂに形成された導体パターンである第１アンテナパターン１１ａ（１１ａ１〜１１ａ６）と、管１Ｔの内壁に沿うように配置された第２アンテナパターン１１ｂ（１１ｂ１〜１１ｂ５）とを備える。
【００７１】
第１アンテナパターン１１ａ（１１ａ１〜１１ａ６）は、基板１Ｂ上に導体パターンとして形成されている。第１アンテナパターン１１ａは、例えば、図２〜図４に示すように、導体パターン１１ａ１〜１１ａ６からなる。
【００７２】
導体パターン１１ａ１は、図３に示すように、給電点ＦＰを介して、無線通信用モジュール２と接続されている。導体パターン１１ａ１は、図３に示すように、平面視において、円筒管１Ｔの筒軸（Ｘ軸）と平行に形成されている部分と、導体パターン１１ａ２〜１１ａ６と平行に形成されている部分とを有する。そして、導体パターン１１ａ１は、図３に示すように、平面視において、円筒管１Ｔの筒軸と平行に形成されている部分が、円筒管１Ｔの幅方向の略中央付近に配置されるように設置されている。つまり、導体パターン１１ａ１は、図３に示すように、平面視において、円筒管１Ｔの筒軸と平行に形成されている部分が、円筒管１Ｔの幅方向の略中央付近に配置されるように設定されている。これにより、給電点ＦＰが、円筒管１Ｔの幅方向の略中央部に配置される。そして、平面視において、導体パターン１１ａ１のＹ軸正方向側の端部において、導体パターン１１ａ１は、第２アンテナパターンの導体パターン１１ｂ１の端部（第１端）と接続される。
【００７３】
導体パターン１１ａ２は、平面視において、平行四辺形状であり、図３に示すように、平面視おいて、導体パターン１１ａ３〜１１ａ６と平行に設置されている。平面視において、導体パターン１１ａ２のＹ軸負方向側の端部のＸ軸方向の位置は、導体パターン１１ａ１のＹ軸正方向側の端部のＸ軸方向の位置と略同一である。そして、平面視において、（１）導体パターン１１ａ２のＹ軸負方向側の端部において、導体パターン１１ａ２は、第２アンテナパターンの導体パターン１１ｂ１の端部（第２端）と接続され、（２）導体パターン１１ａ２のＹ軸正方向側の端部において、導体パターン１１ａ２は、第２アンテナパターンの導体パターン１１ｂ２の端部（第１端）と接続される。
【００７４】
導体パターン１１ａ３は、平面視において、平行四辺形状であり、図３に示すように、平面視おいて、導体パターン１１ａ２、１１ａ４〜１１ａ６と平行に設置されている。平面視において、導体パターン１１ａ３のＹ軸負方向側の端部のＸ軸方向の位置は、導体パターン１１ａ２のＹ軸正方向側の端部のＸ軸方向の位置と略同一である。そして、平面視において、（１）導体パターン１１ａ３のＹ軸負方向側の端部において、導体パターン１１ａ３は、第２アンテナパターンの導体パターン１１ｂ２の端部（第２端）と接続され、（２）導体パターン１１ａ３のＹ軸正方向側の端部において、導体パターン１１ａ３は、第２アンテナパターンの導体パターン１１ｂ３の端部（第１端）と接続される。
【００７５】
導体パターン１１ａ４は、平面視において、平行四辺形状であり、図３に示すように、平面視おいて、導体パターン１１ａ２〜１１ａ３、１１ａ５〜１１ａ６と平行に設置されている。平面視において、導体パターン１１ａ４のＹ軸負方向側の端部のＸ軸方向の位置は、導体パターン１１ａ３のＹ軸正方向側の端部のＸ軸方向の位置と略同一である。そして、平面視において、（１）導体パターン１１ａ４のＹ軸負方向側の端部において、導体パターン１１ａ４は、第２アンテナパターンの導体パターン１１ｂ３の端部（第２端）と接続され、（２）導体パターン１１ａ４のＹ軸正方向側の端部において、導体パターン１１ａ４は、第２アンテナパターンの導体パターン１１ｂ４の端部（第１端）と接続される。
【００７６】
導体パターン１１ａ５は、平面視において、平行四辺形状であり、図３に示すように、平面視おいて、導体パターン１１ａ２〜１１ａ４、１１ａ６と平行に設置されている。平面視において、導体パターン１１ａ５のＹ軸負方向側の端部のＸ軸方向の位置は、導体パターン１１ａ４のＹ軸正方向側の端部のＸ軸方向の位置と略同一である。そして、平面視において、（１）導体パターン１１ａ５のＹ軸負方向側の端部において、導体パターン１１ａ５は、第２アンテナパターンの導体パターン１１ｂ４の端部（第２端）と接続され、（２）導体パターン１１ａ５のＹ軸正方向側の端部において、導体パターン１１ａ５は、第２アンテナパターンの導体パターン１１ｂ５の端部（第１端）と接続される。
【００７７】
導体パターン１１ａ６は、平面視において、平行四辺形状であり、図３に示すように、平面視おいて、導体パターン１１ａ２〜１１ａ５と平行に設置されている。平面視において、導体パターン１１ａ６のＹ軸負方向側の端部のＸ軸方向の位置は、導体パターン１１ａ５のＹ軸正方向側の端部のＸ軸方向の位置と略同一である。そして、平面視において、（１）導体パターン１１ａ６のＹ軸負方向側の端部において、導体パターン１１ａ６は、第２アンテナパターンの導体パターン１１ｂ５の端部（第２端）と接続される。
【００７８】
第２アンテナパターン１１ｂ（１１ｂ１〜１１ｂ５）は、例えば、ＰＥＴ（ポリエチレンテレフタレート）等の透明な材質の薄膜（フィルム）上に形成されている導体パターンである。
【００７９】
第２アンテナパターン１１ｂ（１１ｂ１〜１１ｂ５）を形成するフィルムの厚みは、材質を考慮し、光（特に可視光）が十分透過するような厚みとすることが好ましい。また、当該フィルムの厚みは、折り曲げ可能、あるいは、湾曲させることが可能な程度の厚さとすることが好ましい。例えば、第２アンテナパターン１１ｂ（１１ｂ１〜１１ｂ５）を形成するフィルムの材質をＰＥＴとする場合、その厚さを１００μｍ以下とするのが好ましい。
【００８０】
なお、第２アンテナパターン１１ｂ（１１ｂ１〜１１ｂ５）を形成するフィルムは、当該フィルム上に導体パターンを保護する保護層（例えば、保護フィルム）を有するものであってもよい。
【００８１】
第２アンテナパターン１１ｂは、湾曲させることが可能なフィルムに形成された導体パターン１１ｂ１〜１１ｂ５からなる。
【００８２】
導体パターン１１ｂ１は、例えば、図２〜図４に示すように、円筒管１Ｔの内壁を沿うように配置される。そして、導体パターン１１ｂ１は、図２〜図４に示すように、（１）導体パターン１１ｂ１の第１端が、第１アンテナパターン１１ａの導体パターン１１ａ１の端部（平面視におけるＹ軸正方向側の端部）と接続され、（２）導体パターン１１ｂ１の第２端が、第１アンテナパターン１１ａの導体パターン１１ａ２の平面視におけるＹ軸負方向側の端部（第１端）と接続される。
【００８３】
導体パターン１１ｂ２は、例えば、図２〜図４に示すように、円筒管１Ｔの内壁を沿うように配置される。そして、導体パターン１１ｂ２は、図２〜図４に示すように、（１）導体パターン１１ｂ２の第１端が、第１アンテナパターン１１ａの導体パターン１１ａ２の平面視におけるＹ軸正方向側の端部（第２端）と接続され、（２）導体パターン１１ｂ２の第２端が、第１アンテナパターン１１ａの導体パターン１１ａ３の平面視におけるＹ軸負方向側の端部（第１端）と接続される。
【００８４】
導体パターン１１ｂ３は、例えば、図２〜図４に示すように、円筒管１Ｔの内壁を沿うように配置される。そして、導体パターン１１ｂ３は、図２〜図４に示すように、（１）導体パターン１１ｂ３の第１端が、第１アンテナパターン１１ａの導体パターン１１ａ３の平面視におけるＹ軸正方向側の端部（第２端）と接続され、（２）導体パターン１１ｂ３の第２端が、第１アンテナパターン１１ａの導体パターン１１ａ４の平面視におけるＹ軸負方向側の端部（第１端）と接続される。
【００８５】
導体パターン１１ｂ４は、例えば、図２〜図４に示すように、円筒管１Ｔの内壁を沿うように配置される。そして、導体パターン１１ｂ４は、図２〜図４に示すように、（１）導体パターン１１ｂ４の第１端が、第１アンテナパターン１１ａの導体パターン１１ａ４の平面視におけるＹ軸正方向側の端部（第２端）と接続され、（２）導体パターン１１ｂ４の第２端が、第１アンテナパターン１１ａの導体パターン１１ａ５の平面視におけるＹ軸負方向側の端部（第１端）と接続される。
【００８６】
導体パターン１１ｂ５は、例えば、図２〜図４に示すように、円筒管１Ｔの内壁を沿うように配置される。そして、導体パターン１１ｂ５は、図２〜図４に示すように、（１）導体パターン１１ｂ５の第１端が、第１アンテナパターン１１ａの導体パターン１１ａ５の平面視におけるＹ軸正方向側の端部（第２端）と接続され、（２）導体パターン１１ｂ５の第２端が、第１アンテナパターン１１ａの導体パターン１１ａ６の平面視におけるＹ軸負方向側の端部（第１端）と接続される。
【００８７】
ここで、第２アンテナパターン１１ｂ（１１ｂ１〜１１ｂ５）と、第１アンテナパターン１１ａ（１１ａ１〜１１ａ６）との接続について、図５を用いて説明する。
【００８８】
図５は、第２アンテナパターン１１ｂ（１１ｂ１〜１１ｂ５）と、第１アンテナパターン１１ａ（１１ａ１〜１１ａ６）との接続について説明するための図である。具体的には、図５の右図は、図３のＡ−Ａ線による断面図である。図５の左図は、円筒管１Ｔが第１管部１Ｔａと第２管部１Ｔｂとから構成される場合において、第１管部１Ｔａと第２管部１Ｔｂとを離間させて描いた図である。
【００８９】
図５に示すように、第２アンテナパターン１１ｂの導体パターン１１ｂ１は、第１管部１Ｔａの内壁に沿うように配置されており、一方の端部（導体パターン１１ｂ１の第１端）に接続部ｔｕ１を有しており、他方の端部（導体パターン１１ｂ１の第２端）に接続部ｔｕ２を有している。そして、図５に示すように、接続部ｔｕ１は、第１アンテナパターン１１ａの導体パターン１１ａ１の端部（導体パターン１１ａ１のＹ軸正方向側の端部）ｔｄ１に接続され、接続部ｔｕ２は、第１アンテナパターン１１ａの導体パターン１１ａ２の端部（導体パターン１１ａ２のＹ軸負方向側の端部（第１端））ｔｄ２に接続される。
【００９０】
つまり、第２アンテナパターン１１ｂの導体パターン１１ｂ１を、第１管部１Ｔａの内壁に沿うように配置させて、第１管部１Ｔａを、第２管部１Ｔｂに装着させることで、第１アンテナパターン１１ａの導体パターン１１ａ１と、第２アンテナパターン１１ｂの導体パターン１１ｂ１と、第１アンテナパターン１１ａの導体パターン１１ａ２とが電気的に接続されることになる。
【００９１】
このようにすることで、図２〜図４に示すように、第１アンテナパターン１１ａ（１１ａ１〜１１ａ６）と第２アンテナパターン１１ｂ（１１ｂ１〜１１ｂ５）とが電気的に接続される。なお、第２アンテナパターン１１ｂの導体パターン１１ｂ２〜１１ｂ５についても上記と同様である。
【００９２】
以上のように、第２アンテナパターン１１ｂ（１１ｂ１〜１１ｂ５）が配置されることで、第１アンテナパターン１１ａ（１１ａ１〜１１ａ６）と第２アンテナパターン１１ｂ（１１ｂ１〜１１ｂ５）とが電気的に接続される。これにより、第１アンテナパターン１１ａ（１１ａ１〜１１ａ６）と第２アンテナパターン１１ｂ（１１ｂ１〜１１ｂ５）とにより、アンテナ（アンテナ素子）が構成される。そして、第１アンテナパターン１１ａ（１１ａ１〜１１ａ６）と第２アンテナパターン１１ｂ（１１ｂ１〜１１ｂ５）とにより構成されるアンテナは、図２〜図４に示すように、給電点ＦＰから金口部１４ｂへの方向（Ｘ軸負方向）に延びるヘリカル状アンテナを構成する。
【００９３】
なお、上記では、第１アンテナパターン１１ａ（１１ａ１〜１１ａ６）と第２アンテナパターン１１ｂ（１１ｂ１〜１１ｂ５）とにより、巻き数が「５」であるヘリカル状アンテナが構成される場合について、説明したが、これに限定されることはない。第１アンテナパターン１１ａの導体パターンを、上記と同様に、基板１Ｂ上に、Ｋ個（Ｋ：自然数）設け、第２アンテナパターン１１ｂの導体パターンを、円筒管１Ｔの内壁に沿うように、Ｋ−１個設けて、第１アンテナパターン１１ａと第２アンテナパターン１１ｂにより、巻き数が「Ｋ」であるヘリカル状アンテナを構成するようにしてもよい。
【００９４】
また、ヘリカル状アンテナのピッチ（例えば、第２アンテナパターン１１ｂの隣接する導体パターン間のＸ軸方向の距離に対応する距離）は、照明装置１００において、送受信する無線信号の周波数に応じて、決定されことが好ましい。
【００９５】
また、図３のＸ軸方向からの投影視におけるヘリカル状アンテナの周囲の距離（ヘリカルアンテナの直径に対応する長さ）は、照明装置１００において、送受信する無線信号の周波数に応じて、決定されことが好ましい。例えば、図５の点Ｐ１〜点Ｐ２間の直線距離と、点Ｐ１、点Ｐ３、点Ｐ２を通る半円周の距離との合計の距離Ｌを、照明装置１００において、送受信する無線信号の周波数に応じて、決定するようにすればよい。
【００９６】
上記のように、照明装置１００において、送受信する無線信号の周波数に応じて、ヘリカル状アンテナの（１）巻き数、（２）ピッチ、（３）らせん軸から見たときの周囲長（図３のＸ軸方向からの投影視におけるヘリカル状アンテナの周囲の距離に相当）、を決定するようにすればよい。
【００９７】
なお、照明装置１００において、送受信する無線信号の周波数をｆｃとし、当該周波数ｆｃに相当する波長をλとすると、例えば、上記合計の距離Ｌを、
３／４×λ≦Ｌ≦４／３×λ
となるように決定してもよい。
【００９８】
照明装置１００では、基板１Ｂ上の第１アンテナパターン１１ａと、円筒管１Ｔの内壁に沿うように配置される第２アンテナパターン１１ｂとによりヘリカル状アンテナを構成するので、当該ヘリカル状アンテナの巻き数とピッチとを容易に調整することができる。
【００９９】
なお、所望のアンテナ特性を得るために、第１アンテナパターン１１ａと、第２アンテナパターン１１ｂとにより構成されるヘリカル状アンテナに、アンテナ特性調整用回路を接続し、照明装置１００におけるアンテナ特性（アンテナ感度）を改善するようにしてもよい。上記のアンテナ特性調整用回路は、例えば、基板１Ｂ上に設置されるものであってもよいし、また、無線通信用モジュール２内に設置されるものであってもよい。
【０１００】
また、第２アンテナパターン１１ｂの導体パターン１１ｂ１は、例えば、格子状パターンにより形成されるものであってもよい。これについて、図６を用いて、説明する。
【０１０１】
図６は、図３の下左図（側面図）と同様の図である。図６に示した領域Ｒ１の拡大図のように、格子幅ｗの格子状パターンが形成されるように、第２アンテナパターン１１ｂの導体パターン（１１ｂ１〜１１ｂ５）を、形成するようにしてもよい。
【０１０２】
この場合、照明用モジュール１の照明部１２から照射される光の波長をλ＿Ｌとし、アンテナ部１１で送受信される電磁波の波長をλ＿Ｒとすると、
ｗ＜λ＿Ｒ
ｗ＞λ＿Ｌ
の両方の不等式を満たす格子幅ｗの格子状パターンが形成されるように、第２アンテナパターン１１ｂの導体パターン（１１ｂ１〜１１ｂ５）を、フィルム上に形成するようにすることが好ましい。
【０１０３】
これにより、照明光は、上記格子パターンを回折し、遮断されないので、照明光がアンテナ部１１の第２アンテナパターン１１ｂを通過することによる透過率の低下を適切に抑制することができる。
【０１０４】
なお、格子パターンは、縦幅と横幅とが略同一であってもよいし、縦幅と横幅とが異なるものであってもよい。格子パターンの縦幅（これを幅ｗ１とする）と横幅（これを幅ｗ２とする）とが異なる場合、格子パターンの縦幅ｗ１と横幅ｗ２とが、
ｗ１＜λ＿Ｒ
ｗ１＞λ＿Ｌ
ｗ２＜λ＿Ｒ
ｗ２＞λ＿Ｌ
を満たす格子状パターンが形成されるように、第２アンテナパターン１１ｂの導体パターンを形成するようにすればよい。
【０１０５】
また、格子パターンは、上記のように、互いに直交する金属細線（導体パターン）により形成されるもの（格子パターンの単位パターンが正方形や長方形の形状となるパターン）に限定されることはない。第２アンテナパターン１１ｂを形成するフィルム上に、複数の金属細線（導体パターン）を斜めに交差するように形成するようにしてもよい。つまり、格子パターンの単位パターンが菱形の形状となるように複数の金属細線（導体パターン）をフィルム上に形成するようにしてもよい。さらに、格子パターンの単位パターンの単位パターンの形状が他の形状（例えば、六角形の形状やランダム形状）となるように、複数の金属細線（導体パターン）をフィルム上に形成するようにしてもよい。
【０１０６】
そして、複数の金属細線（導体パターン）において、隣接する金属細線間の距離をｗａとすると、
ｗａ＜λ＿Ｒ
ｗａ＞λ＿Ｌ
を満たすように、複数の金属細線（導体パターン）をフィルム上に形成するようにしてもよい。
【０１０７】
また、上記距離ｗａは、複数の金属細線（導体パターン）において、隣接する金属細線間の平均値であってもよい。
【０１０８】
このように第２アンテナパターン１１ｂの導体パターンを形成することで、照明部１２から光が照射される方向に、第２アンテナパターン１１ｂの導体パターンが配置される場合であっても、照明部１２から光の透過率が劣化することを適切に防止することができる。
【０１０９】
照明部１２は、図１に示すように、ｎ個（ｎ：自然数）のＬＥＤ素子Ｌ１、Ｌ２、・・・、Ｌｎを備える。ｎ個のＬＥＤ素子Ｌ１〜Ｌｎは、基板１Ｂ（例えば、プリント基板）上で、直列接続されており、照明部１２に電源部３から供給される直流電圧ＤＣ＿Ｌにより、ｎ個のＬＥＤ素子Ｌ１〜Ｌｎの発光制御が実行される。照明部１２は、図２〜図４に示すように、蛍光灯と同様の細長い形状の管である円筒管１Ｔ内に設置される。
【０１１０】
また、照明部１２は、電源部３に接続され、電源部３から電圧ＤＣ＿Ｌが供給される。照明部１２のｎ個のＬＥＤ素子は、電源部３からの電圧ＤＣ＿Ｌにより駆動される。
【０１１１】
反射板１３は、図２〜図４に示すように、半円形の板状であり、導体により形成されている。反射板１３は、図２〜図４に示すように、基板１Ｂの金口部１４ａ側の端部に設けられている。これにより、第１アンテナパターン１１ａと第２アンテナパターン１１ｂとにより構成されるヘリカル状アンテナのＸ軸負方向（図３の矢印Ｄｉｒ１の方向）の利得を大きくすることができる。その結果、第１アンテナパターン１１ａと第２アンテナパターン１１ｂとにより構成されるヘリカル状アンテナをＸ軸負方向（図３の矢印Ｄｉｒ１の方向）の指向性の高いアンテナとすることができる。つまり、反射板１３を上記のように設置することで、第１アンテナパターン１１ａと第２アンテナパターン１１ｂとにより構成されるヘリカル状アンテナを、軸モード（Ａｘｉａｌ  Ｍｏｄｅ）のヘリカルアンテナと同様に機能させることができる。
【０１１２】
なお、反射板１３を省略してもよい。この場合、第１アンテナパターン１１ａと第２アンテナパターン１１ｂとにより構成されるヘリカル状アンテナは、ノーマルモードのヘリカルアンテナと同様に機能する。つまり、この場合、第１アンテナパターン１１ａと第２アンテナパターン１１ｂとにより構成されるヘリカル状アンテナは、モノポールアンテナと類似の指向性を有する。
【０１１３】
なお、反射板１３は、図２〜図４に示すような半円形の板状に限定されず、他の形状であってもよい。例えば、反射板１３は、円形の板状の形状を有するものであってもよい。
【０１１４】
無線通信用モジュール２は、図１に示すように、マッチング部２１と、ＲＦ部２２と、通信制御部２３とを備える。
【０１１５】
マッチング部２１は、インピーダンス調整を行う回路（インピーダンス調整回路）等を備える。マッチング部２１のインピーダンス調整回路は、アンテナ部１１と接続され、インピーダンス調整を行う。アンテナ部１１を送受信アンテナとして機能させる場合、マッチング部２１は、送信用インピーダンス調整回路と、受信用インピーダンス調整回路とを備えてもよい。なお、アンテナ部１１を送受信アンテナとして機能させる場合、マッチング部２１は、送信用インピーダンス調整回路と、受信用インピーダンス調整回路とを共通化した回路を備えるものであってもよい。
【０１１６】
マッチング部２１は、アンテナ部１１が受信アンテナとして機能している場合、インピーダンス調整後の信号をＲＦ部２２に出力する。一方、マッチング部２１は、アンテナ部１１が送信アンテナとして機能している場合、ＲＦ部２２からの信号を入力し、入力された信号に対してインピーダンス調整を行い、インピーダンス調整後の信号をアンテナ部１１に出力する。
【０１１７】
ＲＦ部２２は、アンテナ送信処理部（例えば、アンテナ送信処理用回路）と、アンテナ受信処理部（例えば、アンテナ受信処理用回路）と、備える。ＲＦ部２２は、通信制御部２３からの指令信号（制御信号）を入力し、当該指令信号（制御信号）に基づいた処理を実行する。
【０１１８】
ＲＦ部２２は、アンテナ部１１が受信アンテナとして機能している場合、アンテナ受信処理部（例えば、アンテナ受信処理用回路）を動作させ、マッチング部２１から出力されるインピーダンス調整後の信号に対して、アンテナ受信処理（例えば、ＲＦ復調処理を含む処理）を実行する。そして、ＲＦ部２２は、アンテナ受信処理（例えば、ＲＦ復調処理）により取得した信号（情報）を通信制御部２３に出力する。
【０１１９】
一方、ＲＦ部２２は、アンテナ部１１が送信アンテナとして機能している場合、アンテナ送信処理部（例えば、アンテナ送信処理用回路）を動作させる。例えば、通信制御部２３から出力される信号（情報）をＲＦ変調し、ＲＦ変調した信号をマッチング部２１に出力する。
【０１２０】
通信制御部２３は、無線通信用モジュールの各機能部を制御する。通信制御部２３は、例えば、マイクロプロセッサ等により実現される。通信制御部２３は、ＲＦ部２２と接続されており、ＲＦ部２２に制御信号、ＲＦ変調させてアンテナ送信するための情報（信号）等を出力する。
【０１２１】
また、通信制御部２３は、ＲＦ部２２からの信号により、自装置以外の他の照明装置から電波が送信されている状態であることを検出した場合、混信、コリジョン発生等を防止するために、自装置のＲＦ変調処理を停止させるための制御信号をＲＦ部２２に出力するようにしてもよい。
【０１２２】
また、通信制御部２３は、ＲＦ部２２からの信号に基づいて、電源制御信号Ｃｔｌを生成し、生成した電源制御信号Ｃｔｌを電源部３に出力する。
【０１２３】
電源部３は、交流電源（不図示）に接続され、交流電流（あるいは交流電圧）を直流電流（あるいは交流電圧）に変換することで、外部に対して、定電圧源として機能する。電源部３は、無線通信用モジュール２に接続され、無線通信用モジュール２に対して、定電圧ＤＣ＿Ｗを供給する直流電源として機能する。
【０１２４】
また、電源部３は、照明用モジュール１の照明部１２に接続され、照明部１２に対して、電圧ＤＣ＿Ｌを供給する直流電源として機能する。
【０１２５】
また、電源部３は、通信制御部２３から出力される電源制御信号Ｃｔｌを入力する。電源部３は、電源制御信号Ｃｔｌに基づいて、照明用モジュール１の照明部１２に供給（出力）する電圧ＤＣ＿Ｌの値を調整する。
【０１２６】
なお、電源部３は、基板１Ｂに設置されていてもよい。
【０１２７】
以上のように、照明装置１００では、照明部１２を搭載する基板１Ｂに形成された第１アンテナパターン１１ａ１と、円筒管１Ｔの内壁に沿うようにして配置された第２アンテナパターン１１ｂ１とにより、ヘリカル状アンテナが構成される。したがって、照明装置１００では、従来技術のように無線通信用のアンテナを別途外付け等する必要がなく、照明機器の外観を損ねることがない。さらに、照明装置１００では、ヘリカル状アンテナが上記のように構成されるので、ヘリカル状アンテナの巻き数やピッチを容易に調整することができる。このため、照明装置１００では、照明機器の外観を損ねることなく、所望のアンテナ特性を容易に得ることができる。
【０１２８】
また、照明装置１００では、ヘリカル状アンテナの一部（第２アンテナパターン１１ｂ１）のみが、照明光が照射される側に配置されるだけなので、照明光による照射効率をほとんど低下させない。さらに、ヘリカル状アンテナの第２アンテナパターン１１ｂ１を
ｗ＜λ＿Ｒ
ｗ＞λ＿Ｌ
の両方の不等式を満たす格子幅ｗの格子状パターンにより形成することで、照明部１２からの照明光は、上記格子パターンを回折し、遮断されない。したがって、この場合、照明装置１００において、照明光がヘリカル状アンテナの一部（第２アンテナパターン１１ｂ）を通過することによる光の透過率の低下をさらに適切に抑制することができる。すなわち、照明装置１００において、照明性能を確保することができる。
【０１２９】
また、照明装置１００では、反射板１３を設置することで、所定の方向（例えば、図３の矢印Ｄｉｒ１の方向）に強い指向性を有するアンテナを実現することができる。したがって、照明装置１００では、所定の方向において、無線通信を行う場合、精度の高い無線通信を行うことができる。
【０１３０】
このように、照明装置１００では、照明機器の外観を損ねず、照明機器の照明性能を確保し、かつ、信頼性の高い無線通信を実行することができる。
【０１３１】
［第２実施形態］
次に、第２実施形態について、説明する。
【０１３２】
なお、本実施形態において、第１実施形態と同様の部分については、同一符号を付し、詳細な説明を省略する。
【０１３３】
図７は、第２実施形態に係る照明装置２００の概略構成図である。
【０１３４】
図８は、第２実施形態に係る照明装置２００の平面図と側面図である。なお、図８に示すように、Ｘ軸、Ｙ軸、および、Ｚ軸を設定する。
【０１３５】
図９は、第２実施形態に係る照明装置２００の一部（金口部１４ｂ側の端部）における平面図および側面図である。なお、図９に示すように、Ｘ軸、Ｙ軸およびＺ軸を設定する。
【０１３６】
図１０は、第２実施形態に係る照明装置２００の一部（両端部）の斜視図である。
【０１３７】
照明装置２００は、第１実施形態の照明装置１００において、アンテナ部および無線通信用モジュールを１つずつ追加した構成を有している。具体的には、照明装置２００は、図７に示すように、第１実施形態の照明装置１００において、アンテナ部１１Ａを追加し、無線通信用モジュール２Ｂを追加し、無線通信用モジュール２を無線通信用モジュール２Ａに置換した構成を有している。また、照明装置２００は、図８〜図１０に示すように、第１実施形態の照明装置１００において、反射板１３Ａを追加した構成を有している。
【０１３８】
アンテナ部１１Ａは、アンテナ部１１と同様のヘリカル状アンテナである。アンテナ部１１Ａは、図８〜図１０に示すように、円筒管１Ｔの金口部１４ｂ側の端部に設置されており、第２アンテナパターン１１Ａｂが基板１ＢのＺ軸正方向側に配置されている。
【０１３９】
また、アンテナ１１Ａの第１アンテナパターン１１Ａａは、図８〜図１０に示すように、基板１ＢのＺ軸正方向側に形成されている。
【０１４０】
アンテナ部１１Ａは、図８〜図１０に示すように、円筒管１Ｔ内の基板１Ｂに形成された導体パターンである第１アンテナパターン１１Ａａ（１１Ａａ１〜１１Ａａ６）と、管１Ｔの内壁に沿うように配置された第２アンテナパターン１１Ａｂ（１１Ａｂ１〜１１Ａｂ５）とを備える。
【０１４１】
第１アンテナパターン１１Ａａ（１１Ａａ１〜１１Ａａ６）は、基板１Ｂ上に導体パターンとして形成されている。第１アンテナパターン１１Ａａは、例えば、図８〜図１０に示すように、導体パターン１１Ａａ１〜１１Ａａ６からなる。
【０１４２】
導体パターン１１Ａａ１は、図９に示すように、給電点ＦＰＡを介して、無線通信用モジュール２Ｂと接続されている。導体パターン１１Ａａ１は、図９に示すように、平面視において、円筒管１Ｔの筒軸（Ｘ軸）と平行に形成されている部分と、導体パターン１１Ａａ２〜１１Ａａ６と平行に形成されている部分とを有する。そして、導体パターン１１Ａａ１は、図９に示すように、平面視において、円筒管１Ｔの筒軸と平行に形成されている部分が、円筒管１Ｔの幅方向の略中央付近に配置されるように設置されている。つまり、導体パターン１１Ａａ１は、図９に示すように、平面視において、円筒管１Ｔの筒軸と平行に形成されている部分が、円筒管１Ｔの幅方向の略中央付近に配置されるように設定されている。これにより、給電点ＦＰＡが、円筒管１Ｔの幅方向の略中央付近に配置される。そして、平面視において、導体パターン１１Ａａ１のＹ軸負方向側の端部において、導体パターン１１Ａａ１は、第２アンテナパターンの導体パターン１１Ａｂ１の端部（第１端）と接続される。
【０１４３】
導体パターン１１Ａａ２は、平面視において、平行四辺形状であり、図９に示すように、平面視おいて、導体パターン１１Ａａ３〜１１Ａａ６と平行に設置されている。平面視において、導体パターン１１Ａａ２のＹ軸正方向側の端部のＸ軸方向の位置は、導体パターン１１Ａａ１のＹ軸負方向側の端部のＸ軸方向の位置と略同一である。そして、平面視において、（１）導体パターン１１Ａａ２のＹ軸正方向側の端部において、導体パターン１１Ａａ２は、第２アンテナパターンの導体パターン１１Ａｂ１の端部（第２端）と接続され、（２）導体パターン１１Ａａ２のＹ軸負方向側の端部において、導体パターン１１Ａａ２は、第２アンテナパターンの導体パターン１１Ａｂ２の端部（第１端）と接続される。
【０１４４】
導体パターン１１Ａａ３は、平面視において、平行四辺形状であり、図９に示すように、平面視おいて、導体パターン１１Ａａ２、１１Ａａ４〜１１Ａａ６と平行に設置されている。平面視において、導体パターン１１Ａａ３のＹ軸正方向側の端部のＸ軸方向の位置は、導体パターン１１Ａａ２のＹ軸負方向側の端部のＸ軸方向の位置と略同一である。そして、平面視において、（１）導体パターン１１Ａａ３のＹ軸正方向側の端部において、導体パターン１１Ａａ３は、第２アンテナパターンの導体パターン１１Ａｂ２の端部（第２端）と接続され、（２）導体パターン１１Ａａ３のＹ軸負方向側の端部において、導体パターン１１Ａａ３は、第２アンテナパターンの導体パターン１１Ａｂ３の端部（第１端）と接続される。
【０１４５】
導体パターン１１Ａａ４は、平面視において、平行四辺形状であり、図９に示すように、平面視おいて、導体パターン１１Ａａ２〜１１Ａａ３、１１Ａａ５〜１１Ａａ６と平行に設置されている。平面視において、導体パターン１１Ａａ４のＹ軸正方向側の端部のＸ軸方向の位置は、導体パターン１１Ａａ３のＹ軸負方向側の端部のＸ軸方向の位置と略同一である。そして、平面視において、（１）導体パターン１１Ａａ４のＹ軸正方向側の端部において、導体パターン１１Ａａ４は、第２アンテナパターンの導体パターン１１Ａｂ３の端部（第２端）と接続され、（２）導体パターン１１Ａａ４のＹ軸負方向側の端部において、導体パターン１１Ａａ４は、第２アンテナパターンの導体パターン１１Ａｂ４の端部（第１端）と接続される。
【０１４６】
導体パターン１１Ａａ５は、平面視において、平行四辺形状であり、図９に示すように、平面視おいて、導体パターン１１Ａａ２〜１１Ａａ４、１１Ａａ６と平行に設置されている。平面視において、導体パターン１１Ａａ５のＹ軸正方向側の端部のＸ軸方向の位置は、導体パターン１１Ａａ４のＹ軸負方向側の端部のＸ軸方向の位置と略同一である。そして、平面視において、（１）導体パターン１１Ａａ５のＹ軸正方向側の端部において、導体パターン１１Ａａ５は、第２アンテナパターンの導体パターン１１Ａｂ４の端部（第２端）と接続され、（２）導体パターン１１Ａａ５のＹ軸負方向側の端部において、導体パターン１１Ａａ５は、第２アンテナパターンの導体パターン１１Ａｂ５の端部（第１端）と接続される。
【０１４７】
導体パターン１１Ａａ６は、平面視において、平行四辺形状であり、図９に示すように、平面視おいて、導体パターン１１Ａａ２〜１１Ａａ５と平行に設置されている。平面視において、導体パターン１１Ａａ６のＹ軸正方向側の端部のＸ軸方向の位置は、導体パターン１１Ａａ５のＹ軸負方向側の端部のＸ軸方向の位置と略同一である。そして、平面視において、（１）導体パターン１１Ａａ６のＹ軸正方向側の端部において、導体パターン１１Ａａ６は、第２アンテナパターンの導体パターン１１Ａｂ５の端部（第２端）と接続される。
【０１４８】
第２アンテナパターン１１Ａｂ（１１Ａｂ１〜１１Ａｂ５）は、例えば、ＰＥＴ（ポリエチレンテレフタレート）等の透明な材質の薄膜（フィルム）上に形成されている導体パターンである。
【０１４９】
第２アンテナパターン１１Ａｂ（１１Ａｂ１〜１１Ａｂ５）を形成するフィルムの厚みは、材質を考慮し、光（特に可視光）が十分透過するような厚みとすることが好ましい。また、当該フィルムの厚みは、折り曲げ可能、あるいは、湾曲させることが可能な程度の厚さとすることが好ましい。例えば、第２アンテナパターン１１Ａｂ（１１Ａｂ１〜１１Ａｂ５）を形成するフィルムの材質をＰＥＴとする場合、その厚さを１００μｍ以下とするのが好ましい。
【０１５０】
なお、第２アンテナパターン１１Ａｂ（１１Ａｂ１〜１１Ａｂ５）を形成するフィルムは、当該フィルム上に導体パターンを保護する保護層（例えば、保護フィルム）を有するものであってもよい。
【０１５１】
第２アンテナパターン１１Ａｂは、湾曲させることが可能なフィルムに形成された導体パターン１１Ａｂ１〜１１Ａｂ５からなる。
【０１５２】
導体パターン１１Ａｂ１は、例えば、図８〜図１０に示すように、円筒管１Ｔの内壁を沿うように配置される。そして、導体パターン１１Ａｂ１は、図８〜図１０に示すように、（１）導体パターン１１Ａｂ１の第１端が、第１アンテナパターン１１Ａａの導体パターン１１Ａａ１の端部（平面視におけるＹ軸負方向側の端部）と接続され、（２）導体パターン１１Ａｂ１の第２端が、第１アンテナパターン１１Ａａの導体パターン１１Ａａ２の平面視におけるＹ軸正方向側の端部（第１端）と接続される。
【０１５３】
導体パターン１１Ａｂ２は、例えば、図８〜図１０に示すように、円筒管１Ｔの内壁を沿うように配置される。そして、導体パターン１１Ａｂ２は、図８〜図１０に示すように、（１）導体パターン１１Ａｂ２の第１端が、第１アンテナパターン１１Ａａの導体パターン１１Ａａ２の平面視におけるＹ軸負方向側の端部（第２端）と接続され、（２）導体パターン１１Ａｂ２の第２端が、第１アンテナパターン１１Ａａの導体パターン１１Ａａ３の平面視におけるＹ軸正方向側の端部（第１端）と接続される。
【０１５４】
導体パターン１１Ａｂ３は、例えば、図８〜図１０に示すように、円筒管１Ｔの内壁を沿うように配置される。そして、導体パターン１１Ａｂ３は、図８〜図１０に示すように、（１）導体パターン１１Ａｂ３の第１端が、第１アンテナパターン１１Ａａの導体パターン１１Ａａ３の平面視におけるＹ軸負方向側の端部（第２端）と接続され、（２）導体パターン１１Ａｂ３の第２端が、第１アンテナパターン１１Ａａの導体パターン１１Ａａ４の平面視におけるＹ軸正方向側の端部（第１端）と接続される。
【０１５５】
導体パターン１１Ａｂ４は、例えば、図８〜図１０に示すように、円筒管１Ｔの内壁を沿うように配置される。そして、導体パターン１１Ａｂ４は、図８〜図１０に示すように、（１）導体パターン１１Ａｂ４の第１端が、第１アンテナパターン１１Ａａの導体パターン１１Ａａ４の平面視におけるＹ軸負方向側の端部（第２端）と接続され、（２）導体パターン１１Ａｂ４の第２端が、第１アンテナパターン１１Ａａの導体パターン１１Ａａ５の平面視におけるＹ軸正方向側の端部（第１端）と接続される。
【０１５６】
導体パターン１１Ａｂ５は、例えば、図８〜図１０に示すように、円筒管１Ｔの内壁を沿うように配置される。そして、導体パターン１１Ａｂ５は、図８〜図１０に示すように、（１）導体パターン１１Ａｂ５の第１端が、第１アンテナパターン１１Ａａの導体パターン１１Ａａ５の平面視におけるＹ軸負方向側の端部（第２端）と接続され、（２）導体パターン１１Ａｂ５の第２端が、第１アンテナパターン１１Ａａの導体パターン１１Ａａ６の平面視におけるＹ軸正方向側の端部（第１端）と接続される。
【０１５７】
なお、第２アンテナパターン１１Ａｂ（１１Ａｂ１〜１１Ａｂ５）と、第１アンテナパターン１１Ａａ（１１Ａａ１〜１１Ａａ６）との接続については、第１実施形態において、図５を用いて説明したのと同様である。また、第２アンテナパターン１１Ａｂ（１１Ａｂ１〜１１Ａｂ５）は、第１実施形態の第２アンテナパターン１１ｂ（１１ｂ１〜１１ｂ５）と同様、格子パターンにより形成されるものであってもよい。
【０１５８】
以上のように、第２アンテナパターン１１Ａｂ（１１Ａｂ１〜１１Ａｂ５）が配置されることで、第１アンテナパターン１１Ａａ（１１Ａａ１〜１１Ａａ６）と第２アンテナパターン１１Ａｂ（１１Ａｂ１〜１１Ａｂ５）とが電気的に接続される。これにより、第１アンテナパターン１１Ａａ（１１Ａａ１〜１１Ａａ６）と第２アンテナパターン１１Ａｂ（１１Ａｂ１〜１１Ａｂ５）とにより、アンテナ（アンテナ素子）が構成される。そして、第１アンテナパターン１１Ａａ（１１Ａａ１〜１１Ａａ６）と第２アンテナパターン１１Ａｂ（１１Ａｂ１〜１１Ａｂ５）とにより構成されるアンテナは、図８〜図１０に示すように、給電点ＦＰＡから金口部１４ａへの方向（Ｘ軸負方向）に延びるヘリカル状アンテナを構成する。
【０１５９】
なお、上記では、第１アンテナパターン１１Ａａ（１１Ａａ１〜１１Ａａ６）と第２アンテナパターン１１Ａｂ（１１Ａｂ１〜１１Ａｂ５）とにより、巻き数が「５」であるヘリカル状アンテナが構成される場合について、説明したが、これに限定されることはない。第１アンテナパターン１１Ａａの導体パターンを、上記と同様に、基板１Ｂ上に、Ｋ個（Ｋ：自然数）設け、第２アンテナパターン１１Ａｂの導体パターンを、円筒管１Ｔの内壁に沿うように、Ｋ−１個設けて、第１アンテナパターン１１Ａａと第２アンテナパターン１１Ａｂにより、巻き数が「Ｋ」であるヘリカル状アンテナを構成するようにしてもよい。
【０１６０】
また、ヘリカル状アンテナのピッチ（例えば、第２アンテナパターン１１Ａｂの隣接する導体パターン管のＸ軸方向の処理に対応する距離）は、照明装置２００において、送受信する無線信号の周波数に応じて、決定されことが好ましい。
【０１６１】
また、図９のＸ軸方向からの投影視におけるヘリカル状アンテナの周囲の距離（ヘリカルアンテナの直径に対応する長さ）は、照明装置２００において、送受信する無線信号の周波数に応じて、決定されことが好ましい。
【０１６２】
上記のように、照明装置２００において、送受信する無線信号の周波数に応じて、ヘリカル状アンテナの（１）巻き数、（２）ピッチ、（３）らせん軸から見たときの周囲長（図９のＸ軸方向からの投影視におけるヘリカル状アンテナの周囲の距離に相当）、を決定するようにすればよい。
【０１６３】
なお、照明装置２００において、送受信する無線信号の周波数をｆｃとし、当該周波数ｆｃに相当する波長をλとすると、例えば、上記合計の距離Ｌを、
３／４×λ≦Ｌ≦４／３×λ
となるように決定してもよい。
【０１６４】
照明装置２００では、基板１Ｂ上の第１アンテナパターン１１Ａａと、円筒管１Ｔの内壁に沿うように配置される第２アンテナパターン１１Ａｂとによりヘリカル状アンテナを構成するので、当該ヘリカル状アンテナの巻き数とピッチとを容易に調整することができる。
【０１６５】
なお、所望のアンテナ特性を得るために、第１アンテナパターン１１Ａａと、第２アンテナパターン１１Ａｂとにより構成されるヘリカル状アンテナに、アンテナ特性調整用回路を接続し、照明装置２００におけるアンテナ特性（アンテナ感度）を改善するようにしてもよい。上記のアンテナ特性調整用回路は、例えば、基板１Ｂ上に設置されるものであってもよいし、また、無線通信用モジュール２Ｂ内に設置されるものであってもよい。
【０１６６】
反射板１３Ａは、図８〜図１０に示すように、半円形の板状であり、導体により形成されている。反射板１３Ａは、図８〜図１０に示すように、基板１Ｂの金口部１４ｂ側の端部に設けられている。これにより、第１アンテナパターン１１Ａａと第２アンテナパターン１１Ａｂとにより構成されるヘリカル状アンテナのＸ軸正方向（図９の矢印Ｄｉｒ２の方向）の利得を大きくすることができる。その結果、第１アンテナパターン１１Ａａと第２アンテナパターン１１Ａｂとにより構成されるヘリカル状アンテナをＸ軸正方向（図９の矢印Ｄｉｒ２の方向）の指向性の高いアンテナとすることができる。つまり、反射板１３Ａを上記のように設置することで、第１アンテナパターン１１Ａａと第２アンテナパターン１１Ａｂとにより構成されるヘリカル状アンテナを、軸モード（Ａｘｉａｌ  Ｍｏｄｅ）のヘリカルアンテナと同様に機能させることができる。
【０１６７】
なお、反射板１３Ａを省略してもよい。この場合、第１アンテナパターン１１Ａａと第２アンテナパターン１１Ａｂとにより構成されるヘリカル状アンテナは、ノーマルモードのヘリカルアンテナと同様に機能する。つまり、この場合、第１アンテナパターン１１Ａａと第２アンテナパターン１１Ａｂとにより構成されるヘリカル状アンテナは、モノポールアンテナと類似の指向性を有する。
【０１６８】
なお、反射板１３Ａは、図８〜図１０に示すような半円形の板状に限定されず、他の形状であってもよい。例えば、反射板１３Ａは、円形の板状の形状を有するものであってもよい。
【０１６９】
無線通信用モジュール２Ａは、図７に示すように、第１実施形態の無線通信用モジュール２において、通信制御部２３を、通信制御部２３Ａに置換したものである。それ以外については、無線通信用モジュール２Ａは、第１実施形態の無線通信用モジュール２と同様である。
【０１７０】
通信制御部２３Ａは、図７に示すように、無線通信用モジュール２Ｂの通信制御部２３Ｂと接続されており、通信制御部２３Ｂと各種データの通信（例えば、マイコン間通信）を行う。そして、通信制御部２３Ａは、ＲＦ部２２から取得した情報、および／または、無線通信用モジュール２Ｂの通信制御部２３Ｂから取得した情報に基づいて、電源部３へ電源制御信号Ｃｔｌを送信する。つまり、通信制御部２３Ａは、無線通信用モジュール２Ｂの通信制御部２３Ｂと連動して、各種制御を行う。
【０１７１】
無線通信用モジュール２Ｂは、図７に示すように、第１実施形態の無線通信用モジュール２において、通信制御部２３を、通信制御部２３Ｂに置換したものである。それ以外については、無線通信用モジュール２Ｂは、第１実施形態の無線通信用モジュール２と同様である。
【０１７２】
通信制御部２３Ｂは、図７に示すように、無線通信用モジュール２Ａの通信制御部２３Ａと接続されており、通信制御部２３Ａと各種データの通信（例えば、マイコン間通信）を行う。例えば、通信制御部２３Ｂは、無線通信用モジュール２ＢのＲＦ部２２から取得した情報を、無線通信用モジュール２Ａの通信制御部２３Ａに送信する。
【０１７３】
以上のように、照明装置２００では、２つのヘリカル状アンテナを備える。そして、この２つのヘリカル状アンテナは、互いに異なる方向に利得の高い指向性アンテナである。つまり、図８に示すように、照明装置２００の金口部１４ａ側のヘリカル状アンテナは、図８の矢印Ｄｉｒ１（Ｘ軸負方向）に利得の高い指向性アンテナであり、照明装置２００の金口部１４ｂ側のヘリカル状アンテナは、図８の矢印Ｄｉｒ２（Ｘ軸正方向）に利得の高い指向性アンテナである。このように、照明装置２００では、利得の高い方向が異なる２つの指向性アンテナを、照明部１２を搭載する基板１Ｂに形成された第１アンテナパターン１１ａ１、１１Ａ１と、円筒管１Ｔの内壁に沿うようにして配置された第２アンテナパターン１１ｂ１、１１Ａｂ１と、により、形成することができる。
【０１７４】
したがって、照明装置２００では、照明機器の外観を損ねることなく、異なる方向（例えば、照明装置２００の円筒管１Ｔの軸方向の正方向（図８のＸ軸正方向）および負方向（図８のＸ軸負方向））に利得の高い指向性アンテナを実現することができる。したがって、照明装置２００では、所定の方向において、無線通信を行う場合、精度の高い無線通信を行うことができる。
【０１７５】
さらに、照明装置２００では、ヘリカル状アンテナが上記のように構成されるので、２つのヘリカル状アンテナのそれぞれの巻き数やピッチを容易に調整することができる。このため、照明装置２００では、照明機器の外観を損ねることなく、所望のアンテナ特性を容易に得ることができる。
【０１７６】
また、照明装置２００では、ヘリカル状アンテナの一部（第２アンテナパターン１１ｂ１）のみが、照明光が照射される側に配置されるだけなので、照明光による照射効率をほとんど低下させない。さらに、ヘリカル状アンテナの第２アンテナパターン１１ｂ１を
ｗ＜λ＿Ｒ
ｗ＞λ＿Ｌ
の両方の不等式を満たす格子幅ｗの格子状パターンにより形成することで、照明部１２からの照明光は、上記格子パターンを回折し、遮断されない。したがって、この場合、照明装置２００において、照明光がヘリカル状アンテナの一部（第２アンテナパターン１１ｂ）を通過することによる光の透過率の低下をさらに適切に抑制することができる。すなわち、照明装置２００において、照明性能を確保することができる。
【０１７７】
このように、照明装置２００では、照明機器の外観を損ねず、照明機器の照明性能を確保し、かつ、信頼性の高い無線通信を実行することができる。
【０１７８】
なお、上記では、反射板１３、１３Ａを有する構成について説明したが、これに限定されることはなく、照明装置２００を、反射板１３、１３Ａを省略した構成としてもよい。この場合、照明装置２００の２つのヘリカル状アンテナは、モノポールアンテナと同様のアンテナ特性を有するので、例えば、照明装置２００の２つのヘリカル状アンテナを空間ダイバシティアンテナとして機能させるようにしてもよい。
【０１７９】
また、照明装置２００の２つのヘリカル状アンテナの両方または一方の巻き数、ピッチ等を変更することで、照明装置２００の２つのヘリカル状アンテナを周波数ダイバシティアンテナとして機能させるようにしてもよい。
【０１８０】
また、照明装置２００の２つのヘリカル状アンテナにおいて、所望のアンテナ特性を実現させるために、アンテナ特性を調整するための回路を、例えば、基板１Ｂに、あるいは、無線通信用モジュール２Ａ、２Ｂ内に、設けるようにしてもよい。
【０１８１】
［第３実施形態］
次に、第３実施形態について、説明する。
【０１８２】
なお、本実施形態において、第１実施形態と同様の部分については、同一符号を付し、詳細な説明を省略する。
【０１８３】
図１１は、第３実施形態に係る照明装置３００の概略構成図である。
【０１８４】
図１２は、第３実施形態に係る照明装置３００の構成を説明するための図である。具体的には、図１２の上段の図は、第３実施形態に係る照明装置３００の第２アンテナパターン１１Ｂｂが形成されたフィルム１Ｆの平面図である。図１２の中段の図は、第３実施形態に係る照明装置３００の第１アンテナパターン１１Ｂａが形成された基板１Ｂと、円筒管１Ｔと、金口部１４ａ、１４ｂの平面図である。
【０１８５】
図１２の下段中央の図は、第３実施形態に係る照明装置３００の平面図である。つまり、図１２の上段の図と、図１２の中段の図とを重ねて描いた図である。図１２の下段の左図は、Ａ１−Ａ１線による断面図である。図１２の下段の右図は、Ａ２−Ａ２線による断面図である。
【０１８６】
なお、図１２に示した平面図については、図１２に示すようにＸ軸、Ｙ軸、および、Ｚ軸をとるものとする。
【０１８７】
図１３は、第３実施形態に係る照明装置３００の斜視図である。
【０１８８】
本実施形態の照明装置３００は、図１１に示すように、第１実施形態の照明装置１００において、アンテナ部１１をアンテナ部１１Ｂに置換した構成を有している。
【０１８９】
アンテナ部１１Ｂは、図１２〜図１３に示すように、円筒管１Ｔ内の基板１Ｂに形成された導体パターンである第１アンテナパターン１１Ｂａ（１１Ｂａ１〜１１Ｂａ４）と、管１Ｔの内壁に沿うように配置された第２アンテナパターン１１Ｂｂ（１１Ｂｂ１〜１１Ｂｂ３）とを備える。また、アンテナ部１１Ｂは、図１２〜図１３に示すように、基板１Ｂの金口部１４ｂ側の端部に設置され、第１アンテナパターン１１Ｂａと第２アンテナパターン１１Ｂｂとを接続する第３アンテナパターン１１Ｂｃ（１１Ｂｃ１〜１１Ｂｃ３）と、基板１Ｂの金口部１４ａ側の端部に設置され、第１アンテナパターン１１Ｂａと第２アンテナパターン１１Ｂｂとを接続する第４アンテナパターン１１Ｂｄ（１１Ｂｄ１〜１１Ｂｄ３）と、を備える。
【０１９０】
第１アンテナパターン１１Ｂａ（１１Ｂａ１〜１１Ｂａ４）は、基板１Ｂ上に導体パターンとして形成されている。第１アンテナパターン１１Ｂａは、例えば、図１２〜図１３に示すように、導体パターン１１Ｂａ１〜１１Ａａ４からなる。
【０１９１】
導体パターン１１Ｂａ１は、図１２に示すように、給電点ＦＰＢを介して、無線通信用モジュール２と接続されている。導体パターン１１Ｂａ１は、図１２に示すように、平面視において、円筒管１Ｔの筒軸と直交する軸（Ｙ軸）と平行に形成されている部分と、導体パターン１１Ｂａ２〜１１Ｂａ４と平行に形成されている部分とを有する。そして、導体パターン１１Ｂａ１は、図１２に示すように、平面視において、円筒管１Ｔの筒軸と直交する軸（Ｙ軸）と平行に形成されている部分が、円筒管１Ｔの長手方向の略中央付近に配置されるように設置されている。つまり、導体パターン１１Ｂａ１は、図１２に示すように、平面視において、円筒管１Ｔの筒軸と直交する軸（Ｙ軸）と平行に形成されている部分が、円筒管１Ｔの長手方向の略中央付近に配置されるように設定されている。これにより、給電点ＦＰＢが、円筒管１Ｔの長手方向の略中央付近に配置される。そして、図１２に示すように、平面視において、導体パターン１１Ｂａ１のＸ軸負方向側の端部で、導体パターン１１Ｂａ１は、第３アンテナパターン１１Ｂｃの導体パターン１１Ｂｃ１を介して第２アンテナパターン１１Ｂｂ１の端部（第１端）と接続される。
【０１９２】
導体パターン１１Ｂａ２は、平面視において、平行四辺形状であり、図１２に示すように、平面視おいて、導体パターン１１Ｂａ３〜１１Ｂａ４と平行に設置されている。平面視において、導体パターン１１Ｂａ２のＸ軸正方向側の端部のＸ軸方向の位置は、導体パターン１１Ｂａ１のＸ軸負方向側の端部のＹ軸方向の位置と略同一である。そして、平面視において、（１）導体パターン１１Ｂａ２のＸ軸正方向側の端部において、導体パターン１１Ｂａ２は、図１２に示すように、第４アンテナパターンの導体パターン１１Ｂｄ１を介して第２アンテナ１１Ｂｂ１の端部（第２端）と接続され、（２）導体パターン１１Ｂａ２のＸ軸負方向側の端部において、導体パターン１１Ｂａ２は、図１２に示すように、第３アンテナパターンの導体パターン１１Ｂｃ２を介して、第２アンテナパターンの導体パターン１１Ｂｂ２の端部（第１端）と接続される。
【０１９３】
導体パターン１１Ｂａ３は、平面視において、平行四辺形状であり、図１２に示すように、平面視おいて、導体パターン１１Ｂａ２、１１Ｂａ４と平行に設置されている。平面視において、導体パターン１１Ｂａ３のＸ軸正方向側の端部のＸ軸方向の位置は、導体パターン１１Ｂａ２のＸ軸負方向側の端部のＹ軸方向の位置と略同一である。そして、平面視において、（１）導体パターン１１Ｂａ３のＸ軸正方向側の端部において、導体パターン１１Ｂａ３は、図１２に示すように、第４アンテナパターンの導体パターン１１Ｂｄ２を介して第２アンテナ１１Ｂｂ２の端部（第２端）と接続され、（２）導体パターン１１Ｂａ３のＸ軸負方向側の端部において、導体パターン１１Ｂａ３は、図１２に示すように、第３アンテナパターンの導体パターン１１Ｂｃ３を介して、第２アンテナパターンの導体パターン１１Ｂｂ３の端部（第１端）と接続される。
【０１９４】
導体パターン１１Ｂａ４は、平面視において、平行四辺形状であり、図１２に示すように、平面視おいて、導体パターン１１Ｂａ２〜１１Ｂａ３と平行に設置されている。平面視において、導体パターン１１Ｂａ４のＸ軸正方向側の端部のＸ軸方向の位置は、導体パターン１１Ｂａ３のＸ軸負方向側の端部のＹ軸方向の位置と略同一である。そして、平面視において、（１）導体パターン１１Ｂａ４のＸ軸正方向側の端部において、導体パターン１１Ｂａ４は、図１２に示すように、第４アンテナパターンの導体パターン１１Ｂｄ３を介して第２アンテナパターン１１Ｂｄ３の端部（第２端）と接続される。
【０１９５】
第２アンテナパターン１１Ｂｂ（１１Ｂｂ１〜１１Ｂｂ３）は、湾曲させることができるフィルム１Ｆ上に形成されている導体パターンである。つまり、第２アンテナパターン１１Ｂｂは、湾曲させることが可能なフィルム１Ｆに形成された導体パターン１１Ｂｂ１〜１１Ｂｂ３からなる。
【０１９６】
導体パターン１１Ｂｂ１は、例えば、図１２〜図１３に示すように、導体パターン１１Ｂｂ１が形成されたフィルム１Ｆが円筒管１Ｔの内壁を沿うように配置されることで、円筒管１Ｔの長手方向に延びるように配置される。そして、導体パターン１１Ｂｂ１は、図１２〜図１３に示すように、（１）導体パターン１１Ｂｂ１の第１端が、第３アンテナパターン１１Ｂｃ１を介して第１アンテナパターン１１Ｂａの導体パターン１１Ｂａ１の端部（平面視におけるＸ軸負方向側の端部）と接続され、（２）導体パターン１１Ｂｂ１の第２端が、第４アンテナパターン１１Ｂｄ１を介して第１アンテナパターン１１Ｂａの導体パターン１１Ｂａ２の平面視におけるＸ軸正方向側の端部（第１端）と接続される。
【０１９７】
導体パターン１１Ｂｂ２は、例えば、図１２〜図１３に示すように、導体パターン１１Ｂｂ２が形成されたフィルム１Ｆが円筒管１Ｔの内壁を沿うように配置されることで、円筒管１Ｔの長手方向に延びるように配置される。そして、導体パターン１１Ｂｂ２は、図１２〜図１３に示すように、（１）導体パターン１１Ｂｂ２の第１端が、第３アンテナパターン１１Ｂｃ２を介して第１アンテナパターン１１Ｂａの導体パターン１１Ｂａ２の平面視におけるＸ軸負方向側の端部（第２端）と接続され、（２）導体パターン１１Ｂｂ２の第２端が、第４アンテナパターン１１Ｂｄ２を介して第１アンテナパターン１１Ｂａの導体パターン１１Ｂａ３の平面視におけるＸ軸正方向側の端部（第１端）と接続される。
【０１９８】
導体パターン１１Ｂｂ３は、例えば、図１２〜図１３に示すように、導体パターン１１Ｂｂ３が形成されたフィルム１Ｆが円筒管１Ｔの内壁を沿うように配置されることで、円筒管１Ｔの長手方向に延びるように配置される。そして、導体パターン１１Ｂｂ３は、図１２〜図１３に示すように、（１）導体パターン１１Ｂｂ３の第１端が、第３アンテナパターン１１Ｂｃ３を介して第１アンテナパターン１１Ｂａの導体パターン１１Ｂａ３の平面視におけるＸ軸負方向側の端部（第２端）と接続され、（２）導体パターン１１Ｂｂ３の第２端が、第４アンテナパターン１１Ｂｄ３を介して第１アンテナパターン１１Ｂａの導体パターン１１Ｂａ４の平面視におけるＸ軸正方向側の端部（第１端）と接続される。
【０１９９】
なお、第２アンテナパターン１１Ｂｂ（１１Ｂｂ１〜１１Ｂｂ３）は、第１実施形態の第２アンテナパターン１１ｂ（１１ｂ１〜１１ｂ５）と同様、格子パターンにより形成されるものであってもよい。
【０２００】
以上のようにアンテナ部１１Ｂが構成されることで、円筒管１Ｔの幅方向に延びるヘリカル状アンテナを構成することができる。
【０２０１】
なお、上記で説明したヘリカル状アンテナの形状・構成は、送受信したい無線信号の周波数に応じて、変更するようにしてもよい。つまり、ヘリカル状アンテナの巻き数、ピッチ等を送受信したい無線信号の周波数に応じて、変更するようにしてもよい。さらに、アンテナ特性を改善するために、基板１Ｂ上、あるいは、無線通信用モジュール２内に、アンテナ特性調整用回路を別途設けるようにしてもよい。
【０２０２】
また、照明装置３００において、図１４に示すように、導体からなる反射板１３Ｂを追加してもよい。例えば、図１４に示すように、アンテナ部１１Ｂ（ヘリカル状アンテナ）のらせん軸（Ｙ軸）を法線とする平面が接平面となる曲面に、反射板１３Ｂを形成する。これにより、図１４の矢印Ｄｉｒ３の方向（Ｙ軸正方向）に利得の大きい指向性アンテナを実現することができる。なお、反射板１３Ｂは、上記実施形態で説明したのと同様に、金属細線による格子状パターンにより形成されるものであってもよい。
【０２０３】
以上のように、照明装置３００では、アンテナ部１１Ｂが、第１アンテナパターン１１Ｂａと、第２アンテナパターン１１Ｂｂと、第３アンテナパターン１１Ｂｃと、第４アンテナパターン１１Ｂｄとにより、円筒管１Ｔの管軸方向に垂直な方向に延びるヘリカル状アンテナとして構成される。したがって、照明装置３００では、照明機器の外観損ねることなく、ヘリカル状アンテナにより無線通信を行うことができる。さらに、照明装置３００において、反射板１３Ｂを設置することで、円筒管１Ｔの筒軸と垂直な方向に利得の高い指向性アンテナを実現することができる。
【０２０４】
また、照明装置３００において、第２アンテナパターン１１Ｂｂを、上記実施形態と同様の金属細線による格子状パターンとすることで、照明部１２からの照明光は、上記格子パターンを回折し、遮断されない。したがって、この場合、照明装置３００において、照明光がヘリカル状アンテナの一部（第２アンテナパターン１１Ｂｂ）を通過することによる光の透過率の低下をさらに適切に抑制することができる。すなわち、照明装置３００において、照明性能を確保することができる。
【０２０５】
このように、照明装置３００では、照明機器の外観を損ねず、照明機器の照明性能を確保し、かつ、信頼性の高い無線通信を実行することができる。
【０２０６】
［第４実施形態］
次に、第４実施形態について、説明する。
【０２０７】
なお、本実施形態において、上記実施形態と同様の部分については、同一符号を付し、詳細な説明を省略する。
【０２０８】
図１５は、第４実施形態に係る照明制御システム１０００の概略構成図である。
【０２０９】
照明制御システム１０００は、図１５に示すように、ネットワークＮ１（有線ネットワークＮ１）に接続されたマスター装置Ｍ１と、第１スレーブ装置Ｓ１と、第２スレーブ装置Ｓ２と、第３スレーブ装置Ｓ３とを備える。ネットワークＮ１は、例えば、専用線による有線ネットワークや、電力線に信号を変調して重畳させて通信するネットワーク（例えば、電力線搬送通信ネットワーク（ＰＬＣネットワーク））等である。
【０２１０】
また、照明制御システム１０００は、図１５に示すように、第１スレーブ装置Ｓ１に無線通信ネットワークＷ１により接続される脱着式無線通信用モジュールＷＭ１１と、脱着式無線通信用モジュールＷＭ１２に接続されている照明用モジュールＬＭ１２とを備える。
【０２１１】
また、照明制御システム１０００は、図１５に示すように、第２スレーブ装置Ｓ２に無線通信ネットワークＷ２により接続される脱着式無線通信用モジュールＷＭ２１と、脱着式無線通信用モジュールＷＭ２２に接続されている照明用モジュールＬＭ２２とを備える。
【０２１２】
なお、脱着式無線通信用モジュールＷＭ１１、ＷＭ１２、ＷＭ２１、ＷＭ２２は、上記実施形態の無線通信用モジュール２と同様のものである。また、脱着式無線通信用モジュールＷＭ１１、ＷＭ１２、ＷＭ２１、ＷＭ２２は、上記実施形態の無線通信用モジュール２Ａ、２Ｂと同様のものであってもよい。
【０２１３】
また、照明制御システム１０００は、図１５に示すように、第３スレーブ装置Ｓ３に無線通信ネットワークＷ３により接続される照度センサＳＳ３１と、人感センサＳＳ３２とを備える。
【０２１４】
なお、図１５の場合、照明制御システム１０００は、１つのマスター装置と、３つのスレーブ装置とを備えているが、照明制御システム１０００は、この構成に限定されることはなく、複数のマスター装置と、複数のスレーブ装置とを備えるものであってもよい。
【０２１５】
脱着式無線通信用モジュールＷＭ１１、ＷＭ１２、ＷＭ２１、ＷＭ２２は、上記実施形態で説明した無線通信用モジュール２（あるいは、無線通信用モジュール２Ａ、２Ｂ）と同様のものであり、無線通信用モジュール２（あるいは、無線通信用モジュール２Ａ、２Ｂ）は、コネクタや、静電容量結合により、照明用モジュールに電気的に接続される。
【０２１６】
照明用モジュールＬＭ１１、ＬＭ１２、ＬＭ２１、ＬＭ２２は、上記実施形態で説明した照明用モジュール１０と同様のものである。なお、電源部３については、図示を省略している。
【０２１７】
例えば、照明制御システム１０００において、照度センサＳＳ３１により検出されている照度が低い（暗い）状態であり、人感センサＳＳ３２により、人を検知し、消灯している照明用モジュールＬＭ１１の複数の発光素子を点灯させる場合の制御について、以下、説明する。
【０２１８】
まず、照度センサＳＳ３１は、照度センサＳＳ３１により検出されている照度が低い（暗い）ことを示す情報を含む信号を、無線通信ネットワークＷ３を介して、第３スレーブ装置Ｓ３に送信する。
【０２１９】
第３スレーブ装置Ｓ３は、無線通信ネットワークＷ３を介して、照度センサＳＳ３１から取得した情報を含む信号を、有線ネットワークＮ１を介して、マスター装置Ｍ１に送信する。
【０２２０】
マスター装置Ｍ１は、第３スレーブ装置Ｓ３から、有線ネットワークＮ１を介して受信した照度センサＳＳ３１が検知した照度についての情報を取得し、当該情報を保持する。
【０２２１】
次に、人感センサＳＳ３２が、人を検知すると、人感センサＳＳ３２は、人を感知したことを示す情報を含む信号を、無線通信ネットワークＷ３を介して、第３スレーブ装置Ｓ３に送信する。
【０２２２】
第３スレーブ装置Ｓ３は、人感センサＳＳ３２から、無線通信ネットワークＷ３を介して受信した情報（人を検知したことを示す情報）を、有線ネットワークＮ１を介して、マスター装置Ｍ１に送信する。
【０２２３】
マスター装置Ｍ１は、第３スレーブ装置Ｓ３から、有線ネットワークＮ１を介して受信した信号により、人感センサＳＳ３２により、人が検知されたという情報を取得する。そして、マスター装置Ｍ１は、照明用モジュールＬＭ１１の複数の発光素子の点灯を指示する信号を、有線ネットワークＮ１を介して、第１スレーブ装置Ｓ１に送信する。
【０２２４】
第１スレーブ装置Ｓ１は、マスター装置Ｍ１から、有線ネットワークＮ１を介して送信された信号を受信し、受信した信号を、無線通信ネットワークＷ１を介して、脱着式無線通信用モジュールＷＭ１１に送信する。
【０２２５】
脱着式無線通信用モジュールＷＭ１１は、第１スレーブ装置Ｓ１からの信号を、無線通信ネットワークＷ１を介して受信する。具体的には、第１スレーブ装置Ｓ１からの無線信号を、照明用モジュールＬＭ１１の回路を受信アンテナとして動作させることで、受信する。そして、受信した信号に対して、脱着式無線通信用モジュールＷＭ１１のマッチング部２１、および、ＲＦ部２２による処理を実行する。これにより、脱着式無線通信用モジュールＷＭ１１の通信制御部２３（または２３Ａ、２３Ｂ）は、照明用モジュールＬＭ１１の複数の発光素子の点灯を指示する信号を取得する。そして、通信制御部２３（または２３Ａ、２３Ｂ）は、電源部３が、照明用モジュール１０に供給する電圧を、照明用モジュール１０の発光素子ＬＥ１〜ＬＥｎを点灯させることができる所定の電圧（所定の調光率を実現するための電圧）とするよう指示する電源制御信号Ｃｔｌを、電源部３に出力する。
【０２２６】
これにより、照明用モジュールＬＭ１１の複数の発光素子が点灯する。
【０２２７】
なお、脱着式無線通信用モジュールＷＭ１１の通信制御部２３（または２３Ａ、２３Ｂ）は、照明用モジュールＬＭ１１の複数の発光素子が点灯することで消費される電力の情報を含む信号を、照明用モジュールＬＭ１１の回路を送信アンテナとして動作させることで、無線通信ネットワークＷ１を介して、第１スレーブ装置Ｓ１に送信されるように、制御するようにしてもよい。
【０２２８】
この場合、第１スレーブ装置Ｓ１は、脱着式無線通信用モジュールＷＭ１１から送信された信号を受信し、受信した信号を、有線ネットワークＮ１を介して、マスター装置Ｍ１へ送信する。
【０２２９】
そして、マスター装置Ｍ１は、第１スレーブ装置Ｓ１から、有線ネットワークＮ１を介して受信した信号より、照明用モジュールＬＭ１１が点灯していることで消費されている電力量を把握することができる。
【０２３０】
照明制御システム１０００では、このような処理を行うことで、各スレーブ装置から取得した電力消費量を把握し、省エネを実現させるために、不要な点灯を消灯させる等の制御を行うこともできる。
【０２３１】
さらに、図１５に示すように、マスター装置Ｍ１を、ネットワークＮ２を介して、ホストシステムＨ１に接続するようにし、マスター装置Ｍ１で収集した情報を、ホストシステムＨ１に送信するようにしてもよい。ホストシステムＨ１では、収集した情報に基づいて、マスター装置Ｍ１に対して、所定の制御を行うように指示するようにしてもよい。
【０２３２】
なお、上記では、照明制御システム１０００での通信方式の詳細については、説明しなかったが、通信方式としては、例えば、特開２０１１−２３３９９５号に開示されている通信方式を採用するようにしてもよい。
【０２３３】
また、上記では、脱着式無線通信用モジュールおよび照明用モジュールは、スレーブ装置とのみ無線通信する場合について、説明したが、これに限定されることはなく、脱着式無線通信用モジュールおよび照明用モジュール同士で、無線通信するようにしてもよい。この場合、無線マルチホップ通信方式により、無線通信を行うようにしてもよい。
【０２３４】
以上のように、照明制御システム１０００では、上記実施形態の照明装置１００、２００、３００のいずれかに相当する、脱着式無線通信用モジュールおよび照明用モジュールを用いて、照明制御システムを構成することができる。照明制御システム１０００では、スレーブ装置のみが有線ネットワークおよび無線通信ネットワークの両方の通信機能を備えていればよく、脱着式無線通信用モジュールおよび照明用モジュールは、無線通信機能のみを備えていればよい。これにより、照明制御システム１０００では、システムを構築するときにトータルコストを安くすることができる。
【０２３５】
さらに、無線通信用モジュールは、照明用モジュールに脱着可能であるので、照明用モジュールのコストを安くすることができる。そして、無線通信機能を付加したい照明用モジュールに対してのみ、脱着可能な無線通信用モジュールを装填すればよいので、柔軟、かつ、高い拡張性を有する照明制御システム１０００を、容易に構築することができる。
【０２３６】
さらに、脱着可能な無線通信用モジュールと照明用モジュールとを接続するコネクタを、金属端子（導体部分）が直接接触する部分が存在しない静電容量結合タイプのコネクタ（金属非接触コネクタ）とすることで、長期間に亘り、接触不良を起こすことなく良好な使用状態を維持することができる照明装置、および、照明制御システム１０００を実現することができる。この場合、照明制御システム１０００において、無線通信用モジュールの保守、交換等にかかる費用や手間も大幅に低減することができる。
【０２３７】
≪変形例≫
次に、第４実施形態の変形例について説明する。
【０２３８】
本変形例において、上記と同様の部分については、同一符号を付し、詳細の説明を省略する。
【０２３９】
本変形例は、第４実施形態の照明制御システム１０００を、第２実施形態の照明装置２００を用いて構成している。具体的には、脱着式無線通信用モジュールを、第２実施形態の無線通信用モジュール２Ａ、２Ｂとし、照明用モジュールを、第２実施形態の照明用モジュール１Ａとしている。一例として、照明制御システム１０００の第１スレーブ装置Ｓ１により、９個の照明装置２００が管理制御される場合について、説明する。
【０２４０】
図１６、図１７は、照明制御システム１０００の第１スレーブ装置Ｓ１と、第１スレーブ装置Ｓ１により管理制御される９個の照明装置２００＿Ａ１〜２００＿Ａ３、２００＿Ｂ１〜２００＿Ｂ３、２００＿Ｃ１〜２００＿Ｃ３を模式的に示した図である。なお、図１６、図１７に示すように、Ｘ軸、Ｙ軸を設定する。
【０２４１】
図１６、図１７の９個の照明装置２００＿Ａ１〜２００＿Ａ３、２００＿Ｂ１〜２００＿Ｂ３、２００＿Ｃ１〜２００＿Ｃ３は、第２実施形態の照明装置２００と同様の構成を有しており、その具体的構成は、図８に示したものである。
【０２４２】
９個の照明装置２００＿Ａ１〜２００＿Ａ３、２００＿Ｂ１〜２００＿Ｂ３、２００＿Ｃ１〜２００＿Ｃ３は、例えば、天井に、図１６、図１７に示すように配置される。
【０２４３】
図１６は、第１スレーブ装置Ｓ１から、９個の照明装置２００＿Ａ１〜２００＿Ａ３、２００＿Ｂ１〜２００＿Ｂ３、２００＿Ｃ１〜２００＿Ｃ３へ、データ送信する場合の図である。
【０２４４】
図１７は、９個の照明装置２００＿Ａ１〜２００＿Ａ３、２００＿Ｂ１〜２００＿Ｂ３、２００＿Ｃ１〜２００＿Ｃ３から、第１スレーブ装置Ｓ１へデータ送信する場合の図である。
【０２４５】
まず、図１６を用いて、第１スレーブ装置Ｓ１から、９個の照明装置２００＿Ａ１〜２００＿Ａ３、２００＿Ｂ１〜２００＿Ｂ３、２００＿Ｃ１〜２００＿Ｃ３へ、データ送信する場合について、説明する。
【０２４６】
なお、第４実施形態にて説明した内容については、詳細な説明を省略する。
【０２４７】
本変形例の照明制御システム１０００では、無線マルチホップ通信方式により、（１）照明装置２００＿Ａ１と照明装置２００＿Ａ２とが通信を行い、（２）照明装置２００＿Ａ２と照明装置２００＿Ａ３とが通信を行う。
【０２４８】
また、本変形例の照明制御システム１０００では、無線マルチホップ通信方式により、（１）照明装置２００＿Ｂ１と照明装置２００＿Ｂ２とが通信を行い、（２）照明装置２００＿Ｂ２と照明装置２００＿Ｂ３とが通信を行う。
【０２４９】
また、本変形例の照明制御システム１０００では、無線マルチホップ通信方式により、（１）照明装置２００＿Ｃ１と照明装置２００＿Ｃ２とが通信を行い、（２）照明装置２００＿Ｃ２と照明装置２００＿Ｃ３とが通信を行う。
【０２５０】
一例として、第１スレーブ装置Ｓ１から、照明装置２００＿Ａ３に所定のデータを送信する場合について説明する。
【０２５１】
第１スレーブ装置Ｓ１は、通信先を照明装置２００＿Ａ３とする通信データ（例えば、通信パケット）を無線信号により送信する。第１スレーブ装置Ｓ１から送信された無線信号（電波）は、照明装置２００＿Ａ１、照明装置２００＿Ａ２、および、照明装置２００＿Ａ３が受信できるものとする。
【０２５２】
第１スレーブ装置Ｓ１から送信された無線信号（電波）を受信した照明装置２００＿Ａ１は、受信した信号を復調し、当該無線信号により送信されたデータの宛先が照明装置２００＿Ａ３であることを把握する。そして、照明装置２００＿Ａ１は、データの宛先を照明装置２００＿Ａ３として、照明装置２００＿Ａ３に送信するデータを、ＲＦ変調し、ＲＦ変調した無線通信信号を、図１６のＸ軸正方向への利得の大きいヘリカル状アンテナ１１Ａ１（アンテナ部１１Ａ１）により、照明装置２００＿Ａ２へ送信する。
【０２５３】
照明装置２００＿Ａ１から、ヘリカル状アンテナ１１Ａ１により放射される無線通信信号は、Ｘ軸正方向の利得が高いので、照明装置２００＿Ａ１に対してＸ軸正方向に位置する照明装置２００＿Ａ２へ効率良く伝搬される。
【０２５４】
照明装置２００＿Ａ２は、Ｘ軸負方向の利得が大きいヘリカル状アンテナ１１（アンテナ部１１）により、照明装置２００＿Ａ１から放射された無線信号を受信する。そして、照明装置２００＿Ａ２は、受信した無線信号を復調し、当該無線信号により送信されたデータの宛先が照明装置２００＿Ａ３であることを把握する。そして、照明装置２００＿Ａ２は、データの宛先を照明装置２００＿Ａ３として、照明装置２００＿Ａ３に送信するデータを、ＲＦ変調し、ＲＦ変調した無線通信信号を、図１６のＸ軸正方向への利得の大きいヘリカル状アンテナ１１Ａ１（アンテナ部１１Ａ１）により、照明装置２００＿Ａ３へ送信する。
【０２５５】
照明装置２００＿Ａ３は、Ｘ軸負方向の利得が大きいヘリカル状アンテナ１１（アンテナ部１１）により、照明装置２００＿Ａ２から放射された無線信号を受信する。そして、照明装置２００＿Ａ３は、受信した無線信号を復調し、当該無線信号により送信されたデータの宛先が自装置宛（照明装置２００＿Ａ３）であることを把握する。そして、照明装置２００＿Ａ３は、受信したデータに基づいて、所定の処理（例えば、照明点灯制御処理等）を実行する。
【０２５６】
なお、他の照明装置（９個の照明装置２００＿Ａ１〜２００＿Ａ３、２００＿Ｂ１〜２００＿Ｂ３、２００＿Ｃ１〜２００＿Ｃ３のいずれかの照明装置）へデータ送信する場合も、上記と同様の処理を実行すればよい。
【０２５７】
次に、図１７を用いて、９個の照明装置２００＿Ａ１〜２００＿Ａ３、２００＿Ｂ１〜２００＿Ｂ３、２００＿Ｃ１〜２００＿Ｃ３から、第１スレーブ装置Ｓ１へデータ送信する場合について、説明する。
【０２５８】
一例として、照明装置２００＿Ａ３から、第１スレーブ装置Ｓ１に所定のデータを送信する場合について説明する。
【０２５９】
照明装置２００＿Ａ３は、第１スレーブ装置Ｓ１宛のデータを生成し、生成したデータをＲＦ変調し、ＲＦ変調した無線通信信号を、図１６のＸ軸負方向への利得の大きいヘリカル状アンテナ１１（アンテナ部１１）により、照明装置２００＿Ａ２へ送信する。
【０２６０】
照明装置２００＿Ａ２は、Ｘ軸正方向の利得が大きいヘリカル状アンテナ１１Ａ（アンテナ部１１Ａ）により、照明装置２００＿Ａ３から放射された無線信号を受信する。そして、照明装置２００＿Ａ２は、受信した無線信号を復調し、当該無線信号により送信されたデータの宛先が第１スレーブ装置Ｓ１であることを把握する。そして、照明装置２００＿Ａ２は、データの宛先を第１スレーブ装置Ｓ１として、第１スレーブ装置Ｓ１に送信するデータを、ＲＦ変調し、ＲＦ変調した無線通信信号を、図１６のＸ軸負方向への利得の大きいヘリカル状アンテナ１１（アンテナ部１１）により、照明装置２００＿Ａ１へ送信する。
【０２６１】
照明装置２００＿Ａ１は、Ｘ軸正方向の利得が大きいヘリカル状アンテナ１１Ａ（アンテナ部１１Ａ）により、照明装置２００＿Ａ２から放射された無線信号を受信する。そして、照明装置２００＿Ａ１は、受信した無線信号を復調し、当該無線信号により送信されたデータの宛先が第１スレーブ装置Ｓ１であることを把握する。そして、照明装置２００＿Ａ１は、データの宛先を第１スレーブ装置Ｓ１として、第１スレーブ装置Ｓ１に送信するデータを、ＲＦ変調し、ＲＦ変調した無線通信信号を、第１スレーブ装置Ｓ１に送信する。
【０２６２】
第１スレーブ装置Ｓ１は、照明装置２００＿Ａ１からの無線信号を受信し、受信した信号をＲＦ復調し、自装置宛のデータを取得する。
【０２６３】
このように、本変形例の照明制御システム１０００では、各照明装置が配置されている方向に高い指向性を有するアンテナを用いて、無線信号の送受信を行うため、効率良く無線通信を行うことができる。
【０２６４】
特に、蛍光管タイプの照明装置は、図１６、図１７に示したように、蛍光管の軸（円筒管軸）が一致するように一直線上に配置されることが多いため、上記のように、各照明装置が配置されている方向に高い指向性を有するアンテナを用いて、無線信号の送受信を行うと非常に効率が良い。
【０２６５】
なお、蛍光管の軸（円筒管軸）に垂直な方向に無線通信を行いたい場合、例えば、第３実施形態の照明装置３００を用いるようにしてもよい。
【０２６６】
［他の実施形態］
上記実施形態（変形例を含む）では、第１アンテナパターン１１ａ、１１Ａａ、１１Ｂａが、基板１Ｂに形成されるとして説明した。第１アンテナパターン１１ａ、１１Ａａ、１１Ｂａは、基板１Ｂ上に形成されるものであってもよいが、例えば、基板１Ｂを多層基板として、端部（接続部）のみを基板１Ｂ上（表面上または裏面上）に露出させ、他の導体部分を中間層に配置するようにしてもよい。
【０２６７】
このようにすることで、発光素子や、その駆動回路等との位置的な衝突を容易に回避させることができる（電子部品の配置を容易にすることができる）。
【０２６８】
上記実施形態（変形例を含む）において、アンテナ部１１と、無線通信用モジュール２との接続を、静電容量結合による接続（非接触接続）としてもよい。つまり、アンテナ部１１と、無線通信用モジュール２との間にコンデンサに等価となる回路を挿入することで、アンテナ部１１と、無線通信用モジュール２とを電気的に接続するようにしてもよい。
【０２６９】
また、アンテナ部１１Ａと無線通信用モジュール２Ｂとの間の接続、アンテナ部１１と無線通信用モジュール２Ａとの間の接続、アンテナ部１１Ｂと無線通信用モジュール２との間の接続も、上記と同様に、静電容量結合による接続（非接触接続）としてもよい。
【０２７０】
なお、静電容量結合による接続（非接触接続）とする場合、照明装置１００、２００、３００において、送受信する無線信号の周波数を周波数ｆｃとし、周波数ｆｃにおける容量リアクタンスをＸＣ２とすると、
ＸＣ１＜５００［Ω］
となるようにするのが好ましい。
【０２７１】
このようにすることで、無線信号の周波数帯域において、十分低いインピーダンスにより、無線通信用モジュール２との接続（アンテナ部１１Ａと無線通信用モジュール２Ｂとの間の接続、アンテナ部１１と無線通信用モジュール２Ａとの間の接続、アンテナ部１１Ｂと無線通信用モジュール２との間の接続）を行うことができる。
【０２７２】
また、上記実施形態において、構成部材のうち、上記実施形態に必要な主要部材のみを簡略化して示している。したがって、上記実施形態において明示されなかった任意の構成部材を備えうる。また、上記実施形態および図面において、各部材の寸法は、必ずしも実際の寸法および寸法比率等を忠実に表しているわけではない。したがって、本発明の趣旨を逸脱しない範囲で寸法や寸法比率等の変更は可能である。
【０２７３】
なお、本発明の具体的な構成は、前述の実施形態に限られるものではなく、発明の要旨を逸脱しない範囲で種々の変更および修正が可能である。
【符号の説明】
【０２７４】
１００、２００、３００  照明装置
１、１Ａ  照明用モジュール
１Ｂ  基板
１Ｔ  円筒管
１１、１１Ａ  アンテナ部
１１ａ、１１Ａａ、１１Ｂａ  第１アンテナパターン
１１ｂ、１１Ａｂ、１１Ｂｂ  第２アンテナパターン
１２  照明部
１３、１３Ａ、１３Ｂ  反射板
Ｌ１〜Ｌｎ  発光素子
２、２Ａ、２Ｂ  無線通信用モジュール
２１  マッチング部
２２  ＲＦ部
２３、２３Ａ、２３Ｂ  通信制御部
１０００  照明制御システム
ＷＭ１１、ＷＭ１２、ＷＭ２１、ＷＭ２２  脱着式無線通信用モジュール
ＬＭ１１、ＬＭ１２、ＬＭ２１、ＬＭ２２  照明用モジュール
【図１】
2015115287.tif 000003
【図２】
2015115287.tif 000004
【図３】
2015115287.tif 000005
【図４】
2015115287.tif 000006
【図５】
2015115287.tif 000007
【図６】
2015115287.tif 000008
【図７】
2015115287.tif 000009
【図８】
2015115287.tif 000010
【図９】
2015115287.tif 000011
【図１０】
2015115287.tif 000012
【図１１】
2015115287.tif 000013
【図１２】
2015115287.tif 000014
【図１３】
2015115287.tif 000015
【図１４】
2015115287.tif 000016
【図１５】
2015115287.tif 000017
【図１６】
2015115287.tif 000018
【図１７】
2015115287.tif 000019